(57)【要約】【課題】  背面側に突出した突出部付近に配置されたタッチ操作面において、スムーズなタッチ操作、スライド操作を実現した電子機器を提供すること。【解決手段】  そこで、本発明では、第１の操作面３０３ａと第２の操作面３０３ｂとの背面側への突出量及び質感及び色の何れか一つが異なり、第１の検知面３０２ａは、第１の操作面３０３及び、スライド操作の方向において突出部１６側の第１の操作面３０３ａの外縁に隣接して設けられた第２の操作面３０３ｂに跨って設けられていることを特徴とする。【選択図】  図３
2020009419.tif 000002
【特許請求の範囲】
【請求項１】
タッチ操作及びスライド操作されるタッチ操作面を有する第１の操作手段と、前記タッチ操作面の内側に配置され且つ前記タッチ操作を検知するタッチ検知面と、ユーザが把持する把持部と、を有する電子機器であって、
前記タッチ検知面は、前記スライド操作の方向において、前記把持部から離れた側から順に、第１の検知面から第Ｎの検知面の少なくとも２つの検知面に分割され、
前記把持部は、前記スライド操作の方向において、前記少なくとも２つのタッチ検知面の中で前記第Ｎの検知面の最も近くに設けられており、
前記タッチ操作面は、第１の操作面及び、前記第１の操作面の外縁に設けられた第２の操作面を備え、
前記第１の操作面と前記第２の操作面との突出量及び質感及び色の少なくとも一つが異なり、
前記第１の検知面は、前記第１の操作面の前記把持部から離れた側の外縁に設けられた前記第２の操作面に跨って設けられていることを特徴とする電子機器。
【請求項２】
前記スライド操作と直交する方向において、前記タッチ操作面に対して突出した突出部を備え、
前記第１の検知面は、前記第１の操作面の前記突出部側の外縁に設けられた前記第２の操作面に跨って設けられている請求項１に記載の電子機器。
【請求項３】
前記第１の操作面と前記第１の検知面とが重畳する第１のタッチ検出領域は、前記第２の操作面と前記第１の検知面とが重畳する第２のタッチ検出領域よりも広い面積である請求項１又は２に記載の電子機器。
【請求項４】
スライド操作の方向において前記第１の操作部材の操作面に隣接して配置された第２の操作部材と、備え、
前記スライド操作の方向において、前記第２の操作部材は、前記少なくとも２つのタッチ検知面のうち前記第Ｎの検知面の最も近くに設けられており、
前記検知手段のタッチ検知面の短辺の中点を通る前記スライド操作の方向に伸びた線分を定義した場合、前記線分を基準として、前記第Ｎの検知面の前記第２の操作部材に近い側の領域を第１の領域とし、前記第Ｎの検知面の前記第２の操作部材に遠い側の領域を第２の領域としたとき、前記第１の領域の表面積は前記第２の領域の表面積よりも狭い請求項１乃至３の何れか一項に記載の電子機器。
【請求項５】
前記第１の操作面は、前記第１の操作面と前記タッチ検知面が重畳する第１のタッチ検出領域と前記第１の操作面と前記タッチ検知面が重畳しない第１のタッチ非検出領域を備え、
前記第２の操作面は、前記第２の操作面と前記タッチ検知面が重畳する第２のタッチ検出領域と前記第２の操作面と前記タッチ検知面が重畳しない第２のタッチ非検出領域を備えている請求項１乃至４の何れか一項に記載の電子機器。
【請求項６】
前記スライド操作の方向において前記タッチ操作面は、前記突出部側から順に、前記第２のタッチ非検出領域、前記第２のタッチ検出領域、前記第１のタッチ検出領域が配置されており、
前記第２のタッチ非検出領域のスライド操作の方向の幅は、前記第２のタッチ検出領域のスライド操作の方向の幅よりも広い請求項５に記載の電子機器。
【請求項７】
前記第１の操作面と前記第１の検知面とが重畳するタッチ検出領域に第１のタッチ指標が設けられ、
前記第１の操作面と前記第Ｎの検知面とが重畳するタッチ検出領域に第２のタッチ指標が設けられている請求項１乃至６の何れか一項に記載の電子機器。
【請求項８】
前記第１のタッチ指標が前記第１のタッチ検出領域に設けられており、
前記第２のタッチ検出領域のスライド操作の方向の幅は、前記第１のタッチ指標から前記第２のタッチ検出領域までの長さよりも短い請求項７に記載の電子機器。
【請求項９】
前記第２のタッチ指標は、前記第１の操作面と前記第Ｎの検知面とが重畳するタッチ検出領域及び前記第１の操作面と前記第Ｎの検知面とが重畳しないタッチ非検出領域の両方の領域に跨って設けられており、
前記タッチ検出領域に設けられた第２のタッチ指標の表面積は、前記タッチ非検出領域に設けられた第２のタッチ指標の表面積よりも広い請求項７に記載の電子機器。
【請求項１０】
記録媒体に記録された画像を表示し、スライド操作とタップ操作が可能である操作面を有する表示部を備え、
前記第１の操作部材と前記表示部の操作面は、前記スライド方向と直交する方向に配列されており、
前記第１の操作部材は、前記表示部の操作面に対して前記スライド操作の方向と直交する方向に凹んだ位置に配置されている請求項１乃至９の何れか一項に記載の電子機器。
【請求項１１】
前記タッチ検知面の短辺の中点を通る前記スライド方向に伸びた線分を定義した場合、前記線分を基準として、前記第１のタッチ非検出領域の前記表示部に遠い側の領域を第１の領域とし、前記第１のタッチ非検出領域の前記表示部に近い側の領域を第２の領域としたとき、
前記第１の領域のスライド操作の方向と直交する方向の幅は、前記第２の領域のスライド操作の方向と直交する方向の幅よりも広い請求項１０に記載の電子機器。
【請求項１２】
前記突出部は、接眼部である請求項２乃至１１の何れか一項に記載の電子機器。
【請求項１３】
前記第１の検知面は、前記第１の操作面及び、前記第１の操作面の前記突出部側のスライド方向の外縁に設けられた前記第２の操作面に跨って設けられている請求項２乃至１２の何れか一項に記載の電子機器。
【請求項１４】
前記第１の検知面は、前記第１の操作面及び、前記第１の操作面の前記突出部側のスライド方向と直交する方向の外縁に設けられた前記第２の操作面に跨って設けられている請求項２乃至１３の何れか一項に記載の電子機器。
【請求項１５】
前記第１の検知面の前記第２の操作面に存在する検出領域の面積は、前記第Ｎの検知面の前記第２の操作面に存在する検出領域の面積よりも大きい請求項１乃至１４の何れか一項に記載の電子機器。
【発明の詳細な説明】
【技術分野】
【０００１】
本発明は、電子機器に関し、とくにタッチ操作されるタッチ操作面を有する操作手段の配置構成に関するものである。
【背景技術】
【０００２】
従来、撮像装置には、十字キーやダイヤルなどの設定項目を選択するための操作部材が搭載されている。
【０００３】
近年は、表示デバイスとしてタッチパネルを搭載する製品が普及しており、ユーザーは表示された設定項目をタッチするだけで、その項目を選択／設定することが可能となる。
【０００４】
また、操作部材としてタッチセンサを搭載する製品もあり、撮像装置において動画撮影を行う場合のユーザーインターフェースとしても期待が高まっている。
【０００５】
従来のメカ方式の操作部材で動画撮影中の設定を行うと操作音が雑音として記録されてしまうが、タッチセンサを用いた操作部材では記録される操作音を低減することができる。
【０００６】
タッチパネル、タッチセンサの方式には静電容量方式、抵抗膜方式、光学方式等の方式があり、いずれの方式にも短所、長所があり、用途に応じて広く用いられている。
【０００７】
その中でも、静電容量方式は、精度よく検出することができ、多くの機器に採用されている。
【０００８】
特許文献１では、撮像装置背面の表示画面周辺にタッチ操作部材をＬ字状に配置する開示があり、タッチパネル使用時に表示画面に直接指が触れて画面が汚れてしまう課題を解消している。
【０００９】
それとともに、メカ操作部材削減による機器自体の小型化、薄型化を実現し、かつ操作性を向上させる技術が開示されている。
【００１０】
また、特許文献２では、撮像装置の上面部にタッチ操作部材を配置し、操作部材をユーザーが把持しながら複数の撮影機能を操作できる技術が開示されている。
【先行技術文献】
【特許文献】
【００１１】
【特許文献１】特開２００８−２３６７６５号公報
【特許文献２】特開２０１２−１００６１号公報
【発明の概要】
【発明が解決しようとする課題】
【００１２】
しかしながら、上述の特許文献に開示された従来技術では、タッチ操作部材に設定されたさまざまな機能を把握して操作する。
【００１３】
そのためには、撮像装置の背面に配置された表示画面を見ながら操作することが想定され、タッチ操作部材が配置されている。
【００１４】
よって、ファインダーや上面カバーなどにも表示装置が配置されている高機能な撮像装置において、従来技術にあるタッチ操作部材の配置では、ファインダーや上面カバーの表示を見ながらのタッチ操作部材を操作し難いという問題がある。
【００１５】
とくにファインダーを覗きながらの操作はブラインドでタッチ操作部材を触るため、誤操作をしてしまう可能性がある。
【００１６】
よって、本発明の目的は少なくとも２つ以上の表示モニタを見ながら操作可能なタッチ操作部材を搭載した電子機器を提供することである。
【００１７】
また、ファインダーを覗きながらでもタッチ検出部を把握して操作可能なタッチ操作部材を搭載した電子機器を提供することである。
【課題を解決するための手段】
【００１８】
上記目的を達成するために、本発明の電子機器は、タッチ操作及びスライド操作されるタッチ操作面を有する第１の操作手段と、前記タッチ操作面の内側に配置され且つ前記タッチ操作を検知するタッチ検知面と、ユーザが把持する把持部と、を有する電子機器であって、
前記タッチ検知面は、前記スライド操作の方向において、前記把持部から離れた側から順に、第１の検知面から第Ｎの検知面の少なくとも２つの検知面に分割され、
前記把持部は、前記スライド操作の方向において、前記少なくとも２つのタッチ検知面の中で前記第Ｎの検知面の最も近くに設けられており、
前記タッチ操作面は、第１の操作面及び、前記第１の操作面の外縁に設けられた第２の操作面を備え、
前記第１の操作面と前記第２の操作面との突出量及び質感及び色の少なくとも一つが異なり、
前記第１の検知面は、前記第１の操作面の前記把持部から離れた側の外縁に設けられた前記第２の操作面に跨って設けられていることを特徴とする。
【発明の効果】
【００１９】
本発明によれば、背面側に突出した突出部付近に配置されたタッチ操作面において、スムーズなタッチ操作、スライド操作を実現できる。
【図面の簡単な説明】
【００２０】
【図１】デジタルカメラ１００の外観図である。
【図２】デジタルカメラ１００のハードウェア構成例を示す概略ブロック図である。
【図３】デジタルカメラ１００の背面図とタッチバー８２の内部構成図である。
【図４】（ａ）タッチバー８２の分解図である。（ｂ）タッチバー８２のフレキシブル基板３０１の取り付け図である。（ｃ）タッチバー８２の断面図である。
【図５】（ａ）デジタルカメラ１００の上面図である。（ｂ）デジタルカメラ１００を把持した背面図である。
【図６】（ａ）デジタルカメラ１００を把持した上面図である。（ｂ）デジタルカメラ１００を把持した背面図である。
【図７】（ａ）（ｂ）タッチバー８２をユーザーが操作する概略図
【図８】（ａ）（ｂ）タッチバー８２と表示部との位置関係を示す概略図である。
【図９】（ａ）（ｂ）タッチバー８２のスライド方向と表示部のスクロール方向を示す概略図である。
【図１０】タップ操作の概念図である。
【図１１】スライド操作の概念図である。
【図１２】全面押し操作の概念図である。
【図１３】本発明の指の接触面積を示す概略図である。
【図１４】本発明の指の接触面積とタッチ検出力の関係を示す概略図である。
【図１５】デジタルカメラ１００の背面図とタッチバー８２の別の内部構成図である。
【図１６】本発明に適用される抵抗膜方式のタッチ検知の概略図である。
【図１７】本発明に適用される光学方式のタッチ検知の概略図である。
【発明を実施するための形態】
【００２１】
（デジタルカメラ１００の外観図）
以下、図面を参照して本発明の好適な実施形態を説明する。
【００２２】
図１（ａ）、（ｂ）に本発明を適用可能な撮像装置の一例としてのデジタルカメラ１００の外観図を示す。
【００２３】
図１（ａ）はデジタルカメラ１００の前面斜視図であり、図１（ｂ）はデジタルカメラ１００の背面斜視図である。
【００２４】
図１において、表示部２８は画像や各種情報を表示する、カメラ背面に設けられた表示部である。タッチパネル７０ａは、表示部２８の表示面（操作面）に対するタッチ操作を検出することができる。
【００２５】
ファインダー外表示部４３は、カメラ上面に設けられた表示部であり、シャッター速度や絞りをはじめとするカメラの様々な設定値が表示される。
【００２６】
シャッターボタン６１は撮影指示を行うための操作部である。モード切替スイッチ６０は各種モードを切り替えるための操作部である。
【００２７】
端子カバー４０は外部機器との接続ケーブルとデジタルカメラ１００とを接続する接続ケーブル等のコネクタ（不図示）を保護するカバーである。
【００２８】
メイン電子ダイヤル７１は操作部７０に含まれる回転操作部材であり、このメイン電子ダイヤル７１を回すことで、シャッター速度や絞りなどの設定値の変更等が行える。
【００２９】
電源スイッチ７２はデジタルカメラ１００の電源のＯＮ及びＯＦＦを切り替える操作部材である。
【００３０】
サブ電子ダイヤル７３は操作部７０に含まれ、操作部７０に含まれる回転操作部材であり、選択枠の移動や画像送りなどを行える。
【００３１】
十字キー７４は操作部７０に含まれ、上、下、左、右部分をそれぞれ押し込み可能な十字キー（４方向キー）である。
【００３２】
十字キー７４の押した部分に応じた操作が可能である。ＳＥＴボタン７５は操作部７０に含まれ、押しボタンであり、主に選択項目の決定などに用いられる。
【００３３】
動画ボタン７６は、動画撮影（記録）の開始、停止の指示に用いられる。ＡＥロックボタン７７は操作部７０に含まれ、撮影待機状態で押下することにより、露出状態を固定することができる。
【００３４】
拡大ボタン７８は操作部７０に含まれ、撮影モードのライブビュー表示において拡大モードのＯＮ、ＯＦＦを行うための操作ボタンである。
【００３５】
拡大モードをＯＮとしてからメイン電子ダイヤル７１を操作することにより、ＬＶ画像の拡大、縮小を行える。
【００３６】
再生モードにおいては再生画像を拡大し、拡大率を増加させるための拡大ボタンとして機能する。
【００３７】
再生ボタン７９は操作部７０に含まれ、撮影モードと再生モードとを切り替える操作ボタンである。
【００３８】
撮影モード中に再生ボタン７９を押下することで再生モードに移行し、記録媒体２００に記録された画像のうち最新の画像を表示部２８に表示させることができる。
【００３９】
メニューボタン８１は、操作部７０に含まれ、メニューボタン８１が押されると各種の設定可能なメニュー画面が表示部２８に表示される。
【００４０】
ユーザーは、表示部２８に表示されたメニュー画面と、十字キー７４やＳＥＴボタン７５を用いて直感的に各種設定を行うことができる。
【００４１】
タッチバー８２はタッチ操作を受け付けることが可能なライン状のタッチ操作部材（ラインタッチセンサー）である。
【００４２】
把持部としてのグリップ部９０を握った右手の親指で操作可能な位置に配置されている。
【００４３】
タッチバー８２に対するタップ操作（タッチして所定期間以内に移動せずに離す操作）、左右へのスライド操作（タッチした後、タッチしたままタッチ位置を移動する操作）などを受け付け可能である。
【００４４】
タッチバー８２はタッチパネル７０ａとは異なる操作部材であり、表示機能は備えていない。
【００４５】
通信端子１０はデジタルカメラ１００がレンズ側（着脱可能）と通信を行う為の通信端子である。
【００４６】
接眼部１６は、接眼ファインダー（覗き込み型のファインダー）の接眼部であり、ユーザーは、接眼部１６を介して内部のＥＶＦ２９に表示された映像を視認することができる。
【００４７】
接眼検知部５７は接眼部１６に撮影者が接眼しているか否かを検知する接眼検知センサーである。
【００４８】
蓋２０２は記録媒体２００を格納したスロットの蓋である。
【００４９】
グリップ部９０は、ユーザーがデジタルカメラ１００を構えた際に右手で握りやすい形状とした保持部である。
【００５０】
グリップ部９０を右手の小指、薬指、中指で握ってデジタルカメラを保持した状態で、右手の人差指で操作可能な位置にシャッターボタン６１、メイン電子ダイヤル７１が配置されている。
【００５１】
また、同じ状態で、右手の親指で操作可能な位置に、サブ電子ダイヤル７３、タッチバー８２が配置されている。
【００５２】
（デジタルカメラ１００の構成例を示すブロック図）
図２は、本実施形態によるデジタルカメラ１００の構成例を示すブロック図である。
【００５３】
図２において、レンズユニット１５０は、交換可能な撮影レンズを搭載するレンズユニットである。
【００５４】
レンズ１０３は通常、複数枚のレンズから構成されるが、ここでは簡略して一枚のレンズのみで示している。
【００５５】
通信端子６はレンズユニット１５０がデジタルカメラ１００側と通信を行う為の通信端子であり、通信端子１０はデジタルカメラ１００がレンズユニット１５０側と通信を行う為の通信端子である。
【００５６】
レンズユニット１５０は、この通信端子６，１０を介してシステム制御部５０と通信している。
【００５７】
そして、内部のレンズシステム制御回路４によって絞り駆動回路２を介して絞り１の制御を行い、ＡＦ駆動回路３を介して、レンズ１０３の位置を変位させることで焦点を合わせる。
【００５８】
ＡＥセンサー１７は、レンズユニット１５０を通した被写体の輝度を測光する。
【００５９】
焦点検出部１１は、システム制御部５０にデフォーカス量情報を出力する。
【００６０】
システム制御部５０はそれに基づいてレンズユニット１５０を制御し、位相差ＡＦを行う。
【００６１】
焦点検出部１１は、専用の位相差センサーでもよいし、撮像部２２の撮像面位相差センサーとして構成しても良い。
【００６２】
シャッター１０１は、システム制御部５０の制御で撮像部２２の露光時間を自由に制御できるフォーカルプレーンシャッターである。
【００６３】
撮像部２２は、光学像を電気信号に変換するＣＣＤやＣＭＯＳ素子等で構成される撮像素子である。
【００６４】
Ａ／Ｄ変換器２３は、アナログ信号をデジタル信号に変換する。Ａ／Ｄ変換器２３は、撮像部２２から出力されるアナログ信号をデジタル信号に変換するために用いられる。
【００６５】
画像処理部２４は、Ａ／Ｄ変換器２３からのデータ、又は、メモリ制御部１５からのデータに対し所定の画素補間、縮小といったリサイズ処理や色変換処理を行う。
【００６６】
また、画像処理部２４では、撮像した画像データを用いて所定の演算処理を行う。画像処理部２４により得られた演算結果に基づいてシステム制御部５０が露光制御、測距制御を行う。
【００６７】
これにより、ＴＴＬ（スルー・ザ・レンズ）方式のＡＦ（オートフォーカス）処理、ＡＥ（自動露出）処理、ＥＦ（フラッシュプリ発光）処理が行われる。
【００６８】
画像処理部２４では更に、撮像した画像データを用いて所定の演算処理を行い、得られた演算結果に基づいてＴＴＬ方式のＡＷＢ（オートホワイトバランス）処理を行う。
【００６９】
Ａ／Ｄ変換器２３からの出力データは、画像処理部２４及びメモリ制御部１５を介して、或いは、メモリ制御部１５を介してメモリ３２に直接書き込まれる。
【００７０】
メモリ３２は、撮像部２２によって得られＡ／Ｄ変換器２３によりデジタルデータに変換された画像データや、表示部２８、ＥＶＦ２９に表示するための画像データを格納する。
【００７１】
メモリ３２は、所定枚数の静止画像や所定時間の動画像および音声を格納するのに十分な記憶容量を備えている。
【００７２】
また、メモリ３２は画像表示用のメモリ（ビデオメモリ）を兼ねている。
【００７３】
Ｄ／Ａ変換器１９は、メモリ３２に格納されている画像表示用のデータをアナログ信号に変換して表示部２８、ＥＶＦ２９に供給する。
【００７４】
こうして、メモリ３２に書き込まれた表示用の画像データはＤ／Ａ変換器１９を介して表示部２８、ＥＶＦ２９により表示される。
【００７５】
表示部２８、ＥＶＦ２９は、ＬＣＤや有機ＥＬ等の表示器上に、Ｄ／Ａ変換器１９からのアナログ信号に応じた表示を行う。
【００７６】
Ａ／Ｄ変換器２３によって一度Ａ／Ｄ変換されメモリ３２に蓄積されたデジタル信号をＤ／Ａ変換器１９においてアナログ変換する。
【００７７】
そして、表示部２８またはＥＶＦ２９に逐次転送して表示することで、ライブビュー表示（ＬＶ表示）を行える。
【００７８】
以下、ライブビューで表示される画像をライブビュー画像（ＬＶ画像）と称する。
【００７９】
ファインダー外液晶表示部４３には、ファインダー外表示部駆動回路４４を介して、シャッター速度や絞りをはじめとするカメラの様々な設定値が表示される。
【００８０】
不揮発性メモリ５６は、電気的に消去・記録可能なメモリであり、例えばＥＥＰＲＯＭ等が用いられる。
【００８１】
不揮発性メモリ５６には、システム制御部５０の動作用の定数、プログラム等が記憶される。ここでいう、プログラムとは、本実施形態にて後述する各種フローチャートを実行するためのプログラムのことである。
【００８２】
システム制御部５０は、少なくとも１つのプロセッサーまたは回路からなる制御部であり、デジタルカメラ１００全体を制御する。
【００８３】
前述した不揮発性メモリ５６に記録されたプログラムを実行することで、後述する本実施形態の各処理を実現する。
【００８４】
システムメモリ５２には、例えばＲＡＭが用いられ、システム制御部５０の動作用の定数、変数、不揮発性メモリ５６から読み出したプログラム等が展開される。
【００８５】
また、システム制御部５０はメモリ３２、Ｄ／Ａ変換器１９、表示部２８等を制御することにより表示制御も行う。
【００８６】
システムタイマー５３は各種制御に用いる時間や、内蔵された時計の時間を計測する計時部である。
【００８７】
モード切替スイッチ６０、第１シャッタースイッチ６２、第２シャッタースイッチ６４、操作部７０はシステム制御部５０に各種の動作指示を入力するための操作手段である。
【００８８】
モード切替スイッチ６０は、システム制御部５０の動作モードを静止画撮影モード、動画撮影モード、再生モード等のいずれかに切り替える。
【００８９】
静止画撮影モードに含まれるモードとして、オート撮影モード、オートシーン判別モード、マニュアルモード、絞り優先モード（Ａｖモード）、シャッター速度優先モード（Ｔｖモード）、プログラムＡＥモード（Ｐモード）、がある。
【００９０】
また、撮影シーン別の撮影設定となる各種シーンモード、カスタムモード等がある。モード切替スイッチ６０より、ユーザーは、これらのモードのいずれかに直接切り替えることができる。
【００９１】
あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００９２】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。
【００９３】
第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の撮影準備動作を開始する。
【００９４】
第２シャッタースイッチ６４は、シャッターボタン６１の操作完了、いわゆる全押し（撮影指示）でＯＮとなり、第２シャッタースイッチ信号ＳＷ２を発生する。
【００９５】
システム制御部５０は、第２シャッタースイッチ信号ＳＷ２により、撮像部２２からの信号読み出しから記録媒体２００に撮像された画像を画像ファイルとして書き込むまでの一連の撮影処理の動作を開始する。
【００９６】
操作部７０は、ユーザーからの操作を受け付ける入力部としての各種操作部材である。操作部７０には、少なくとも以下の操作部が含まれる。
【００９７】
操作部の例として、シャッターボタン６１、メイン電子ダイヤル７１、電源スイッチ７２、サブ電子ダイヤル７３、十字キー７４、ＳＥＴボタン７５を示す。
【００９８】
更に、動画ボタン７６、ＡＦロックボタン７７、拡大ボタン７８、再生ボタン７９、メニューボタン８１、タッチバー８２を示す。
【００９９】
電源制御部８０は、電池検出回路、ＤＣ−ＤＣコンバータ、通電するブロックを切り替えるスイッチ回路等により構成され、電池の装着の有無、電池の種類、電池残量の検出を行う。
【０１００】
また、電源制御部８０は、その検出結果及びシステム制御部５０の指示に基づいてＤＣ−ＤＣコンバータを制御し、必要な電圧を必要な期間、記録媒体２００を含む各部へ供給する。
【０１０１】
電源部３０は、アルカリ電池やリチウム電池等の一次電池やＮｉＣｄ電池やＮｉＭＨ電池、Ｌｉ電池等の二次電池、ＡＣアダプター等からなる。
【０１０２】
記録媒体Ｉ／Ｆ１８は、メモリカードやハードディスク等の記録媒体２００とのインターフェースである。
【０１０３】
記録媒体２００は、撮影された画像を記録するためのメモリカード等の記録媒体であり、半導体メモリや磁気ディスク等から構成される。
【０１０４】
通信部５４は、無線または有線ケーブルによって接続し、映像信号や音声信号の送受信を行う。
【０１０５】
通信部５４は無線ＬＡＮ（Ｌｏｃａｌ  Ａｒｅａ  Ｎｅｔｗｏｒｋ）やインターネットとも接続可能である。
【０１０６】
また、通信部５４は、Ｂｌｕｅｔｏｏｔｈ（登録商標）やＢｌｕｅｔｏｏｔｈ  ＬｏｗＥｎｅｒｇｙでも外部機器と通信可能である。
【０１０７】
通信部５４は撮像部２２で撮像した画像（ＬＶ画像を含む）や、記録媒体２００に記録された画像を送信可能であり、また、外部機器から画像やその他の各種情報を受信することができる。
【０１０８】
姿勢検知部５５は重力方向に対するデジタルカメラ１００の姿勢を検知する。
【０１０９】
姿勢検知部５５で検知された姿勢に基づいて、撮像部２２で撮影された画像が、デジタルカメラ１００を横に構えて撮影された画像であるか、縦に構えて撮影された画像であるかを判別可能である。
【０１１０】
システム制御部５０は、姿勢検知部５５で検知された姿勢に応じた向き情報を撮像部２２で撮像された画像の画像ファイルに付加したり、画像を回転して記録したりすることが可能である。
【０１１１】
姿勢検知部５５としては、加速度センサーやジャイロセンサーなどを用いることができる。
【０１１２】
姿勢検知部５５である、加速度センサーやジャイロセンサーを用いて、デジタルカメラ１００の動き（パン、チルト、持ち上げ、静止しているか否か等）を検知することも可能である。
【０１１３】
（ファインダーの接眼部１６の説明）
接眼検知部５７はファインダーの接眼部１６に対する目（物体）の接近（接眼）および離反（離眼）を検知する（接近検知）、接眼検知センサーである。
【０１１４】
システム制御部５０は、接眼検知部５７で検知された状態に応じて、表示部２８とＥＶＦ２９の表示（表示状態）／非表示（非表示状態）を切り替える。
【０１１５】
より具体的には、少なくとも撮影待機状態で、かつ、表示先の切替が自動切替である場合において、非接眼中は表示先を表示部２８として表示をオンとし、ＥＶＦ２９は非表示とする。
【０１１６】
また、接眼中は表示先をＥＶＦ２９として表示をオンとし、表示部２９は非表示とする。
【０１１７】
接眼検知部５７は、例えば赤外線近接センサーを用いることができ、ＥＶＦ２９を内蔵するファインダーの接眼部１６への何らかの物体の接近を検知することができる。
【０１１８】
物体が接近した場合は、接眼検知部５７の投光部（図示せず）から投光した赤外線が反射して赤外線近接センサーの受光部（図示せず）に受光される。
【０１１９】
受光された赤外線の量によって、物体が接眼部１６からどの距離まで近づいているか（接眼距離）も判別することができる。
【０１２０】
このように、接眼検知部５７は、接眼部１６への物体の近接距離を検知する接眼検知を行う。
【０１２１】
非接眼状態（非接近状態）から、接眼部１６に対して所定距離以内に近づく物体が検出された場合に、接眼されたと検出するものとする。
【０１２２】
接眼状態（接近状態）から、接近を検知していた物体が所定距離以上離れた場合に、離眼されたと検出するものとする。
【０１２３】
接眼を検出する閾値と、離眼を検出する閾値は例えばヒステリシスを設けるなどして異なっていてもよい。
【０１２４】
また、接眼を検出した後は、離眼を検出するまでは接眼状態であるものとする。離眼を検出した後は、接眼を検出するまでは非接眼状態であるものとする。
【０１２５】
なお、赤外線近接センサーは一例であって、接眼検知部５７には、接眼とみなせる目や物体の接近を検知できるものであれば他のセンサーを採用してもよい。
【０１２６】
（タッチパネル７０ａの説明）
タッチパネル７０ａと表示部２８とは一体的に構成することができる。
【０１２７】
例えば、タッチパネル７０ａは光の透過率が表示部２８の表示を妨げないように構成され、表示部２８の表示面の上層に取り付けられる。
【０１２８】
そして、タッチパネル７０ａにおける入力座標と、表示部２８の表示画面上の表示座標とを対応付ける。
【０１２９】
これにより、あたかもユーザーが表示部２８上に表示された画面を直接的に操作可能であるかのようなＧＵＩ（グラフィカルユーザーインターフェース）を提供できる。
【０１３０】
システム制御部５０はタッチパネル７０ａへの以下の操作、あるいは状態を検出できる。
・タッチパネル７０ａにタッチしていなかった指やペンが新たにタッチパネル７０ａにタッチしたこと。
【０１３１】
すなわち、タッチの開始（以下、タッチダウン（Ｔｏｕｃｈ−Ｄｏｗｎ）と称する）。
・タッチパネル７０ａを指やペンでタッチしている状態であること（以下、タッチオン（Ｔｏｕｃｈ−Ｏｎ）と称する）。
・タッチパネル７０ａを指やペンでタッチしたまま移動していること（以下、タッチムーブ（Ｔｏｕｃｈ−Ｍｏｖｅ）と称する）。
・タッチパネル７０ａへタッチしていた指やペンを離したこと。すなわち、タッチの終了（以下、タッチアップ（Ｔｏｕｃｈ−Ｕｐ）と称する）。
・タッチパネル７０ａに何もタッチしていない状態（以下、タッチオフ（Ｔｏｕｃｈ−Ｏｆｆ）と称する）。
【０１３２】
タッチダウンが検出されると、同時にタッチオンであることも検出される。
【０１３３】
タッチダウンの後、タッチアップが検出されない限りは、通常はタッチオンが検出され続ける。タッチムーブが検出されるのもタッチオンが検出されている状態である。
【０１３４】
タッチオンが検出されていても、タッチ位置が移動していなければタッチムーブは検出されない。
【０１３５】
タッチしていた全ての指やペンがタッチアップしたことが検出された後は、タッチオフとなる。
【０１３６】
これらの操作・状態や、タッチパネル７０ａ上に指やペンがタッチしている位置座標は内部バスを通じてシステム制御部５０に通知される。
【０１３７】
そして、システム制御部５０は通知された情報に基づいてタッチパネル７０ａ上にどのような操作（タッチ操作）が行なわれたかを判定する。
【０１３８】
タッチムーブについてはタッチパネル７０ａ上で移動する指やペンの移動方向についても、位置座標の変化に基づいて、タッチパネル７０ａ上の垂直成分・水平成分毎に判定できる。
【０１３９】
所定距離以上をタッチムーブしたことが検出された場合はスライド操作が行なわれたと判定するものとする。
【０１４０】
タッチパネル上に指をタッチしたままある程度の距離だけ素早く動かして、そのまま離すといった操作をフリックと呼ぶ。
【０１４１】
フリックは、言い換えればタッチパネル７０ａ上を指ではじくように素早くなぞる操作である。
【０１４２】
所定距離以上を、所定速度以上でタッチムーブしたことが検出され、そのままタッチアップが検出されるとフリックが行なわれたと判定できる（スライド操作に続いてフリックがあったものと判定できる）。
【０１４３】
更に、複数箇所（例えば２点）を同時にタッチして、互いのタッチ位置を近づけるタッチ操作をピンチイン、互いのタッチ位置を遠ざけるタッチ操作をピンチアウトと称する。
【０１４４】
ピンチアウトとピンチインを総称してピンチ操作（あるいは単にピンチ）と称する。
【０１４５】
タッチパネル７０ａは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【０１４６】
方式によって、タッチパネルに対する接触があったことでタッチがあったと検出する方式や、タッチパネルに対する指やペンの接近があったことでタッチがあったと検出する方式があるが、いずれの方式でもよい。
【０１４７】
また、システム制御部５０は、タッチバー８２の出力情報に基づいてタッチバー８２上に指がタッチしている位置座標を算出する。
【０１４８】
システム制御部５０は、さらにタッチバー８２への以下の操作、あるいは状態を検出できる。
・タッチバー８２にタッチしていなかった指が新たにタッチバー８２にタッチしたこと。
【０１４９】
すなわち、タッチの開始（以下、タッチダウン（Ｔｏｕｃｈ−Ｄｏｗｎ）と称する）。
・タッチバー８２を指でタッチしている状態であること（以下、タッチオン（Ｔｏｕｃｈ−Ｏｎ）と称する）。
・タッチバー８２を指でタッチしたまま移動していること（以下、タッチムーブ（Ｔｏｕｃｈ−Ｍｏｖｅ）と称する）。
・タッチバー８２へタッチしていた指を離したこと。すなわち、タッチの終了（以下、タッチアップ（Ｔｏｕｃｈ−Ｕｐ）と称する）。
・タッチバー８２に何もタッチしていない状態（以下、タッチオフ（Ｔｏｕｃｈ−Ｏｆｆ）と称する）。
【０１５０】
タッチダウンが検出されると、同時にタッチオンであることも検出される。
【０１５１】
タッチダウンの後、タッチアップが検出されない限りは、通常はタッチオンが検出され続ける。
【０１５２】
タッチムーブが検出されるのもタッチオンが検出されている状態である。
【０１５３】
タッチオンが検出されていても、タッチ位置が移動していなければタッチムーブは検出されない。
【０１５４】
タッチしていた全ての指やペンがタッチアップしたことが検出された後は、タッチオフとなる。
【０１５５】
システム制御部５０は、これらの操作・状態や位置座標に基づいてタッチバー８２上にどのような操作（タッチ操作）が行なわれたかを判定する。
【０１５６】
タッチムーブについてはタッチバー８２上で水平方向（左右方向）の移動を検知する。所定距離以上を移動したことが検出された場合はスライド操作が行なわれたと判定するものとする。
【０１５７】
タッチパネル上に指をタッチし、スライド操作することなく、所定時間以内にタッチを離す操作があった場合に、タップ操作が行われたと判定するものとする。
【０１５８】
タッチバー８２は、本実施形態では、静電容量方式のタッチセンサであるものとする。
【０１５９】
ただし、抵抗膜方式、表面弾性波方式、赤外線方式、電磁誘導方式、画像認識方式、光センサ方式等、別の方式のタッチセンサであってもよい。
【０１６０】
たとえば、図１６に抵抗膜方式を用いた図３のタッチセンサ電極３０２の短辺（Ｙ方向）の中央を通る線分でのキートップ３０３の断面図と抵抗膜電極４０２から出力されるタッチセンサ出力との関係を示したグラフである。
【０１６１】
ユーザーの親指からの押し圧はキートップ３０３を撓ませて、タッチセンサ電極４０２の電圧を変化させることでタッチ検出を行う。
【０１６２】
図１６のように抵抗膜電極４０２ａは把持部３００から離れるため、ユーザーの親指がキートップ３０３から浮き気味になって親指の押し圧が低下しやすく、抵抗膜電極４０２ａへの圧力は低下する。
【０１６３】
把持部３００から離れた抵抗膜電極４０２ａでも安定した検出を得るために第２のタッチ検出領域４０２ａ２を設けることで電極面積を拡大している。
【０１６４】
抵抗膜電極４０２ａ２はキートップ外形線３０３ａからはみ出している領域であり、指とキートップ３０３は非接触となるが、キートップ３０３は親指の接触部を中心として円弧上に撓む。
【０１６５】
そのため、抵抗膜電極４０２ａ２部にも圧力が伝わり、タッチセンサ出力を上げることができる。
【０１６６】
また、図１７は光センサ方式を用いた図３のタッチセンサ電極３０２の短辺（Ｙ方向）の中央を通る線分でのキートップ３０３の断面図と発光部５０１と受光部５０２から出力されるタッチセンサ出力との関係を示したグラフである。
【０１６７】
ユーザーの親指がキートップ３０３に接触すると発光部５０１から出た光が親指表面に反射して受光部５０２に受光させることでタッチ検出を行う。
【０１６８】
図１７のように受光部５０２ａは把持部３００から離れるため、ユーザーの親指がキートップ３０３から浮き気味になって親指の押し圧が低下しやすく、接触面積が少なくなり、受光部５０２ａの出力が低下する。
【０１６９】
把持部３００から離れた受光部５０２ａでも安定した検出を得るために第２のタッチ検出領域５０２ａ２を設けることで受光面積を拡大している。
【０１７０】
受光部５０２ａ２はキートップ外形線３０３ａからはみ出している領域であり、指とキートップ３０３は非接触となる。
【０１７１】
よって、発光部５０１から出た光はキートップ３０３と親指の接触部から反射して受光部５０２ａ２へも到達するため、タッチセンサ出力を上げることができる。
【０１７２】
以上のように本件では、静電容量方式のタッチセンサだけでなく、別の方式のタッチセンサであってもよい。
【０１７３】
（タッチバー８２を用いた操作）
次に、図１０から図１２を参照して、タッチバー８２を用いた操作について詳細に説明する。
【０１７４】
図１０はタップ操作の概念図であり、図１１はスライド操作の概念図であり、図１２は全面押し操作の概念図である。
【０１７５】
図１０から図１２に共通して、タッチバー８２及び、フレキシブル基板３０１の外形は省き、電極３０２と、ユーザーが操作を行う操作指５００のみを表している。
【０１７６】
また、電極３０２は接眼部１６に近い方から順番に、第１のタッチセンサ電極３０２ａ、第２のタッチセンサ電極３０２ｂ、第３のタッチセンサ電極３０２ｃの３つの電極で構成される。
【０１７７】
電極３０２が、ユーザーが操作を行う操作指５００による静電容量の変化を検知することで、タップ操作、スライド操作、全面押し操作が可能となる。
【０１７８】
実際は、電極３０２の手前に配置されるタッチバー８２にユーザーの操作指５００が触れることでタッチ検知を行う。
【０１７９】
しかし以下では、タップ操作、スライド操作、全面押し操作の説明として簡略化するために、電極３０２に操作指５００が離れることでタッチ検知を行うものとして説明する。
【０１８０】
（タップ操作）
図１０は、タップ操作の概念図である。図１０ａは左タップ操作の概念図であり、図１０ｂは右タップ操作の概念図である。
【０１８１】
図１０ａに示すように、第１のタッチセンサ電極３０２ａにユーザーの操作指５００が接触し、離れる事で左タップ操作として検知する。
【０１８２】
また同様に、図１０ｂに示すように、第３のタッチセンサ電極３０２ｃにユーザーの操作指５００が接触し、離れる事で右タップ操作として検知する。
【０１８３】
本実施例では左タップ操作、右タップ操作の２つのタップ操作を説明したが、これに限らず、第２のタッチセンサ電極３０２ｂを用いて、中央タップ操作を設けてもよい。
【０１８４】
（スライド操作）
図１１は、スライド操作の概念図である。図１１ａは、右スライド操作の概念図であり、図７ｂは左スライド操作の概念図である。
【０１８５】
図１１ａに示すように、電極３０２において操作指５００が第１のタッチセンサ電極３０２ａに触れた後、第３のタッチセンサ電極３０２ｃの方向へ指を移動させる操作を右スライド操作として検知する。
【０１８６】
また同様に、図１１ｂに示すように、操作指５００が第３のタッチセンサ電極３０２ｃに触れた後、第１のタッチセンサ電極３０２ａへ指を移動させる操作を左スライド操作として検知する。
【０１８７】
スライド操作の開始位置は第１のタッチセンサ電極３０２ａや第３のタッチセンサ電極３０２ｃに限らず、第２のタッチセンサ電極３０２ｂへの接触でスライド操作が始まってもよい。
【０１８８】
つまり、操作指５００が第２のタッチセンサ電極３０２ｂに触れた後、第３のタッチセンサ電極３０２ｃ方向への移動を右スライド操作と検知してもよい。
【０１８９】
ユーザの操作指５００が第２のタッチセンサ電極３０２ｂに触れた後、第１のタッチセンサ電極３０２ａ方向への移動を左スライド操作と検知してもよい。
【０１９０】
（全面押し操作）
図１２は、全面押し操作の概念図である。
【０１９１】
図１２に示すように、第１のタッチセンサ電極３０２ａ、第２のタッチセンサ電極３０２ｂ、第２のタッチセンサ電極３０２ｃの全ての電極３０２が操作指５００で一度に触れられると全面押し操作として検知される。
【０１９２】
タップ操作、スライド操作の操作指５００は電極３０２に対して略垂直に押されるのに対して、全面押し操作の操作指５００は、電極３０２に対して略平行に押されるものとする。
【０１９３】
つまり、タップ操作やスライド操作と比べると比較的入力しづらい操作と言え、ユーザーが意識して操作しないとできない操作である。
【０１９４】
全面押し操作は、図１２に示すように必ずしも全ての電極３０２に触れなければならない訳ではない。
【０１９５】
第１のタッチセンサ電極３０２ａの一部及び、第３のタッチセンサ電極３０２ｃの一部が触れられていなくても、全面押し操作として認識してもよい。
【実施例】
【０１９６】
以下、図３から図６を参照して、本発明の実施例について説明する。
【０１９７】
（タッチバー８２の配置位置と内部構成の説明）
図３は、本実施例の撮像装置（電子機器）としてのデジタルカメラ１００におけるタッチバー８２の配置位置と内部構成を示した図である。
【０１９８】
図３に示すように、タッチバー８２は、デジタルカメラ１００の背面側に接眼部１６に隣接して配置されている。
【０１９９】
また、タッチバー８２は、サブ電子ダイヤル７３、及び右手でグリップ９０を握ってカメラを保持した際に親指の位置となる親指待機位置３００とも隣接して配置されている。
【０２００】
図３の拡大図はタッチバー８２の内部構成であり、タッチ操作の検知手段であるタッチセンサ電極３０２を備えており、タップ操作、左右（図３に示すスライド方向）へのスライド操作が可能である。
【０２０１】
タッチセンサ電極（のタッチ検知面）は、接眼部側から３０２ａ、３０２ｂ、３０２ｃの３つに分割されて配置されている。
【０２０２】
ここで本実施例では、タッチセンサ電極（のタッチ検知面）の分割数を３つで説明するが、３つに限定されるものではなく、分割数は、２つ、４つ以上でも良い。
【０２０３】
図３の拡大図の点線はタッチバー８２の外観部品であるキートップ３０３の外形線である。
【０２０４】
また、一点鎖線はタッチセンサ電極３０２の短辺（Ｙ方向）の中央を通る線分である。
【０２０５】
キートップ外形線３０３ａに内包される領域はタッチセンサ電極３０２と重畳し、タッチ検出可能な領域とユーザーから認識される第１の操作面である。
【０２０６】
そして、キートップ外形線３０３ａとキートップ外形線３０３ｂに内包される領域はタッチセンサ電極３０２と重畳しない。
【０２０７】
そのため、タッチ検出しない非検出領域とユーザーから認識される第２の操作面である。
【０２０８】
キートップ外形線３０３ａに内包される第１の操作面の左右端（Ｘ方向端）にはそれぞれくの字形状（矢印形状）の指標３０３ｃ、３０３ｄを設けている。
【０２０９】
タッチバー８２のスライド方向がユーザーに分かるように示している。
【０２１０】
また、指標３０３ｃ、３０３ｄは凸または凹形状になっており、ユーザーが親指をタッチバー８２に接触させてスライドした際に、左右端がそれぞれ感触でわかるようになっている。
【０２１１】
本実施例においてキートップ３０３にタッチ検出しない非検出領域を設けている理由は後述する。
【０２１２】
各タッチセンサ電極はプリント基板３０１に銅箔等で構成され、プリント基板上の銅箔配線３０４によりシステム制御部５０まで接続される。
【０２１３】
前述の通り、システム制御部５０は、タッチバー８２の出力情報、すなわちタッチセンサ電極３０２ａ、３０２ｂ、３０２ｃから入力される情報に基づいて位置座標を算出している。
【０２１４】
操作、あるいは状態からタッチバー８２上にどのような操作が行なわれたかを判定する。
【０２１５】
タッチセンサ電極３０２ａはタッチセンサ電極３０２ｃよりも相対的に面積が大きくなっており、入力が行いやすくなっている。
【０２１６】
本実施例においては、タッチセンサ電極３０２ａは約３６ｍｍ２、タッチセンサ電極３０２ｂは約３４ｍｍ２、タッチセンサ電極３０２ｃは約２６ｍｍ２である。
【０２１７】
タッチセンサ電極３０２ｃに対してタッチセンサ電極３０２ａは、１．３〜１．４倍の面積に設定されている。
【０２１８】
また、タッチセンサ電極の大小関係は３０２ａ＞３０２ｂ＞３０２ｃとなるように設定されている。
【０２１９】
また、タッチセンサ電極３０２ａはキートップ外形線３０３ａで示される第１の操作面より接眼部１６側へはみ出した形状である。
【０２２０】
タッチセンサ電極３０２ａのキートップ外形線３０３ａに内包された領域は第１のタッチ検出領域３０２ａ１であり、キートップ外形線３０３ａからはみ出している領域は第２のタッチ検出領域３０２ａ２である。
【０２２１】
また、キートップ外形線３０３ａとキートップ外形線３０３ｂに内包される第２の操作面において、第２のタッチ検出領域３０２ａ２と重畳しない領域を第１のタッチ非検出領域とする。
【０２２２】
タッチセンサ電極３０２ａは親指待機位置３００からの距離が遠い。
【０２２３】
そのため、ユーザーの親指が浮き気味になりやすく、十分なタッチ面積がない場合においても安定した検出を得るために第２のタッチ検出領域３０２ａ２を設けることで電極面積を拡大するためである。
【０２２４】
ただし、第２のタッチ検出領域３０２ａ２のはみ出しが大きすぎるとユーザーがキートップ３０３の第２の操作面を触った場合にもタッチ検出したように誤検知してしまう。
【０２２５】
そのため、タッチセンサ電極３０２ａのはみ出し量がキートップ３０３のタ第１の操作面の左端と指標３０３ｃとの幅３０３ｅより大きくならないようにしている。
【０２２６】
この事により、タッチセンサ電極３０２ａは、親指待機位置３００からの距離、及び接眼部１６への隣接による入力しにくさを相殺して所望の入力しやすさへと調整することが可能である。
【０２２７】
この調整によって、位置座標の算出や操作の判定をユーザーの操作意図に対して正確に行えることとなる。
【０２２８】
次に図１３を用いてキートップ３０３とタッチセンサ電極３０２とタッチ検出量の関係について説明する。
【０２２９】
図１３は、図３のタッチセンサ電極３０２の短辺（Ｙ方向）の中央を通る線分でのキートップ３０３の断面図とタッチセンサ電極３０２から出力されるタッチセンサ出力との関係を示したグラフである。
【０２３０】
図１３（ａ）はユーザーがデジタルカメラ１００のグリップ部９０を把持しながら把持部３００に近接するタッチセンサ電極３０２ｃ上のキートップ３０３に親指を接触させた状態を示している。
【０２３１】
このとき、親指の接触部とタッチセンサ電極３０２との間の静電容量Ｃが大きくなり、静電容量Ｃの変化量がタッチセンサ出力として検出される。
【０２３２】
図１３（ａ）のグラフはタッチセンサ電極３０２の各電極３０２ａ、３０２ｂ、３０２ｃに対応した静電容量Ｃを示しており、タッチセンサ電極３０２ｃのタッチセンサ出力はグラフの斜線部の面積に相当する。
【０２３３】
静電容量Ｃはユーザーの指とタッチセンサ電極３０２の対向する面積Ｓとタッチ間距離Ｄにより一般的に下記の式で求められ、対向する面積Ｓが大きく、タッチ間距離Ｄが短いほど静電容量Ｃは大きくなる。
Ｃ＝ε×Ｓ／Ｄ    ［Ｆ］
【０２３４】
また、εは誘電率で、一般的に空気の比誘電率は略１であり、キートップ３０３の材質は樹脂材であるため、空気に比べ略３倍の比誘電率である。
【０２３５】
そのため、親指とキートップ３０３との接触部は空気に比べ略３倍の比誘電率と最も短いタッチ間距離Ｄとで静電容量Ｃが検出される。
【０２３６】
図１３（ａ）に示すようにユーザーはキートップ３０３の把持部３００に近接する部分を押すため、親指を強く押し付けることができ、親指とキートップ３０３との接触面積は大きくなり、タッチセンサ出力が大きくなる。
【０２３７】
このため、タッチセンサ電極３０２ｃはキートップ外形線３０３ａで示される第１の操作面より把持部３００側へはみ出させる必要がなく、大きくはみ出させた場合、ユーザーが把持部３００を把持押した際にタッチセンサ電極３０２ｃが誤検知する懸念もある。
【０２３８】
また、親指とキートップ３０３が非接触であってもタッチセンサ電極３０２と指が対向する領域であれば、静電容量Ｃが検出されるが、空気を介し、タッチ間距離Ｄが長くなるため、接触部にくらべタッチセンサ出力が低下する。
【０２３９】
つぎに、図１３（ｂ）はユーザーがデジタルカメラ１００のグリップ部９０を把持しながら接眼部１６に近接するタッチセンサ電極３０２ａ上のキートップ３０３に親指を接触させた状態を示している。
【０２４０】
ユーザーが親指を把持部３００に近接するタッチセンサ電極３０２ｃ上から接眼部１６に近接するタッチセンサ電極３０２ａ上へ移動させる。
【０２４１】
そうすると、タッチセンサ電極３０２ｃで検出される静電容量Ｃが低下し、タッチセンサ電極３０２ａで検出される静電容量Ｃが増加する。
【０２４２】
ユーザーが親指をタッチセンサ電極３０２ａ上へ移動させる際にキートップ３０３上に親指を接触させた状態でスライドさせていくと、図１３（ｂ）のグラフに示すようにタッチ検出量もスライドしていく。
【０２４３】
タッチセンサ出力はグラフの面積に相当するため、図１３（ｂ）のグラフに示すようにキートップ３０３上に親指を接触させた状態でスライドさせていくと、電極３０２ｃ、３０２ｂ、３０２ａの順にタッチセンサ出力が増減していく。
【０２４４】
このとき、電極３０２ｃ、３０２ｂ、３０２ａのタッチセンサ出力に比率によって親指のスライド位置をリニアに検出することができる。
【０２４５】
図１３（ｂ）に示すようにタッチセンサ電極３０２ａは把持部３００から離れるため、ユーザーの親指がキートップ３０３から浮き気味になって親指の押し圧が低下しやすく、親指とキートップ３０３との接触面積は小さくなりやすい。
【０２４６】
そのため、図１３（ｂ）のグラフに示すように、非接触部分は空気を介し、タッチ間距離Ｄが長くなるため、タッチセンサ電極３０２ａのタッチセンサ出力は小さくなりやすい。
【０２４７】
タッチセンサ出力が小さいとタッチ操作の反応性やリニアリティが悪くなるなどの懸念がある。
【０２４８】
そのため、本件では上述したように把持部３００から離れたタッチセンサ電極３０２ａでも安定した検出を得るために第２のタッチ検出領域３０２ａ２を設けることで電極面積を拡大している。
【０２４９】
図１４は本件におけるキートップ３０３の断面図とタッチセンサ電極３０２から出力されるタッチセンサ出力との関係を示したグラフである。
【０２５０】
タッチ検出領域３０２ａ２はキートップ外形線３０３ａからはみ出している領域であり、指とキートップ３０３は非接触となるが、上述したようにタッチセンサ電極３０２と指が対向する領域であれば、空気を介して静電容量Ｃが検出される。
【０２５１】
図１０に示しているように親指の中心がタッチセンサ電極３０２ａの直上に位置した場合、親指はタッチセンサ電極３０２ａからはみ出る関係にあるため、親指はタッチ検出領域３０２ａ２を内包する。
【０２５２】
タッチ検出領域３０２ａ２のタッチセンサ出力は空気を介するため図１４のグラフに示すように略１／３以下になる。
【０２５３】
しかし、ユーザーの親指がキートップ３０３から浮き気味になって接触面積が小さくなった分のタッチセンサ出力の低下を補うことが可能である。
【０２５４】
また、タッチセンサ電極３０２ｃは、サブ電子ダイヤル７３近傍がカットされた形状となっている。
【０２５５】
より具体的には、Ｘ軸方向にサブ電子ダイヤル７３に近づくに従ってカット領域が大きくなる勾配形状によってタッチセンサ電極３０２ｃのカットを行っている。
【０２５６】
そのため、タッチセンサ電極３０２ａはキートップ外形線３０３ａで示される第１の操作面より小さい面積となっており、カット領域を第２のタッチ非検出領域３０１ａとする。
【０２５７】
ただし、タッチセンサ電極３０２ｃが第１の操作面より小さすぎると、ユーザーがタッチ検出可能な領域と認識している第１の操作面を触った場合でもタッチ検出しない場合が起きてしまう。
【０２５８】
そのため、タッチセンサ電極３０２ｃがキートップ３０３のタッチ検出領域の指標３０３ｄと半分以上重畳するようにしている。
【０２５９】
この事により、タッチセンサ電極３０２ｃは、サブ電子ダイヤル７３に対して勢いを付けた操作を行った場合にも意図しない入力が行われにくくなる。
【０２６０】
更に、プリント基板３０１はタッチセンサ電極３０２ｃを狭めたことにより生じた空き領域に位置決め穴３０５を設けている。
【０２６１】
撮像装置（電子機器）は、第１の操作部材８２のタッチ操作面３０３が配置された背面側の面に設けられた第１の表示部１６、２７を有している。
【０２６２】
撮像装置（電子機器）は、第１の操作部材８２のタッチ操作面３０３に対して、タッチ検知面３０２のスライド操作の方向と直交する方向に設けられた第２の表示部２８、２９を有している。
【０２６３】
タッチ操作面３０３は、非導電性である。
【０２６４】
タッチ検知面３０２は、タッチ操作面３０３の内側に配置されている。
【０２６５】
撮像装置（電子機器）は、タッチ操作面３０３の周囲を覆うように配置された導電性の外装カバー４０４、４０６を有している。
【０２６６】
タッチ検知面は、第１の表示部側から順に、スライド操作の方向において第１のタッチ検知面３０２ａから第Ｎのタッチ検知面３０２ｎの少なくとも２つの検出面に分割されている。
【０２６７】
ユーザが把持する把持部９０は、スライド操作の方向において、少なくとも２つのタッチ検知面の中で第Ｎのタッチ検知面３０２ｎに最も近接している。Ｎは自然数である。
【０２６８】
図３の場合、Ｎ＝３である。把持部９０は、スライド操作の方向において、第３のタッチ検知面３０２ｃに最も近接している。
【０２６９】
第２の表示部２８は、タッチ操作面３０３が配置された背面側の面に設けられている。
【０２７０】
撮像装置１００の背面側から見た場合である。
【０２７１】
第２の表示部２８に表示される第１の操作手段８２による操作可能な設定項目のスクロール方向とタッチ操作面３０３のスライド操作の方向が一致するように、第２の表示部２８が配置されている。
【０２７２】
第２の表示部２９は、タッチ操作面３０３が配置された背面側の面と異なる電子機器１００の上面に配置されている。
【０２７３】
第２の表示部２９に表示される第１の操作手段８２による操作可能な設定項目のスクロール方向とタッチ操作面３０３のスライド操作の方向が一致するように、第２の表示部２９が配置されている。
【０２７４】
第２の表示部２８は、タッチパネルである。
【０２７５】
電子機器の背面側から見た場合、第２の表示部２８のタッチパネル面のスライド操作の方向とタッチ操作面３０３のスライド操作の方向が一致するように、第２の表示部２８が配置されている。
【０２７６】
タッチ操作面３０３のスライド操作の方向において、少なくとも２つのタッチ検知面の中で第Ｎのタッチ検知面３０２ｎに最も近接する位置に、回転操作部材７３が設けられている（図３参照）。
【０２７７】
図３は、Ｎ＝３なので、第３のタッチ検知面３０２ｃに最も近接する位置に、回転操作部材（サブ電子ダイヤル）７３が設けられている。
【０２７８】
電子機器の背面側から見た場合、回転操作部材７３の回転方向とタッチ操作面３０３のスライド操作の方向が一致するように、回転操作部材（サブ電子ダイヤル）７３が配置されている。
【０２７９】
電子機器の背面側から見た場合、回転操作部材７３を回転操作するユーザの指の軌跡上に第１の操作手段８２が配置されている。
【０２８０】
第１の表示部１６、２７は、スライド操作の方向においてタッチ操作面３０３に隣接して配置され、且つ第１の操作部材８２のタッチ操作面３０３に対して背面側に突出した接眼部１６である。
【０２８１】
電子機器の背面側から見た場合、接眼部１６に表示される第１の操作手段８２による操作可能な設定項目のスクロール方向とタッチ操作面３０３のスライド操作の方向が一致するように、接眼部１６が配置されている。
【０２８２】
タッチ検知面３０２が外装カバー４０４、４０６と電気的に絶縁されるように、タッチ検知面３０２は、外装カバー４０４、４０６と離間している。
【０２８３】
タッチ操作面３０３は、タッチ検知面３０２と重畳する第１の操作面３０３ａと、第１の操作面３０３ａの外周に配置され且つタッチ検知面３０２と重畳しない第２の操作面３０３ｂと、を有する。
【０２８４】
第１の操作面３０３ａと第２の操作面３０３ｂとの背面側への突出量及び質感及び色の何れか一つが異なる。
【０２８５】
第１の操作面３０３ａの質感と第２の操作面３０３ｂの質感が異なる。
【０２８６】
第１の操作面３０３ａの表面の色と第２の操作面３０３ｂの表面の色が異なる。
【０２８７】
第１の操作面３０３ａは、第２の操作面３０３ｂに比べて電子機器の背面側に突出している。
【０２８８】
第１の操作面３０３ａの背面側に向かう方向の高さは、把持部９０、３００の背面側に向かう方向の高さよりも高く、且つ、接眼部１６の背面側に向かう方向の高さよりも低い。
【０２８９】
タッチ操作面３０３の材質は、ガラスフィラー含有の樹脂である。
【０２９０】
第１の操作面３０３ａのスライド操作の方向の長さは、電子機器の背面側の面に位置する把持部３００のスライド操作の方向の長さよりも長い。
【０２９１】
また、第１の操作面３０３ａのスライド操作の方向の長さは、回転操作部材７３を回転操作する回転操作幅よりも長い。
【０２９２】
電子機器の背面側から見た場合、スライド操作の方向と直交する方向において、回転操作部材７３から順に、第２の操作面３０３ｂ、第１の操作面３０３ａ、第２の操作面３０３ｂに配列されている。
【０２９３】
第１の操作面３０３ａのスライド操作の方向と直交する方向の長さは、回転操作部材７３のタッチ検知面のスライド操作の方向と直交する方向の長さよりも長い。
【０２９４】
第２の操作面３０３ｂの各々のスライド操作の方向と直交する方向の長さは、回転操作部材７３の前記タッチ検知面のスライド操作の方向と直交する方向の長さよりも短い。
【０２９５】
第１の電極面３０２ａは、第１の操作面３０３ａ及び、スライド操作の方向において突出部側の第１の操作面３０３ａの外縁に隣接して設けられた第２の操作面３０３ｂに跨って設けられている。
【０２９６】
第１の操作面３０３ａは、第２の操作面３０３ｂに比べて電子機器の背面側に突出している。
【０２９７】
電子機器の背面側から見た場合、第１の操作面３０３ａと第１の電極面３０２ａとが重畳する第１のタッチ検出領域は、第２の操作面３０３ｂと第１の電極面３０２ａとが重畳する第２のタッチ検出領域よりも広い面積である。
【０２９８】
スライド操作の方向において第１の操作部材（タッチバー）８２の操作面に隣接して配置された第２の操作部材（サブ電子ダイヤル）７３を有する。
【０２９９】
スライド操作の方向において、第２の操作部材７３は、少なくとも２つのタッチ電極面のうち第Ｎの電極面３０２ｎに最も近接している。
【０３００】
検知手段３０２のタッチ電極面の短辺の中点を通るスライド操作の方向に伸びた線分を定義した。
【０３０１】
その場合、線分を基準として、第Ｎの電極面３０２ｎの第２の操作部材７３に近い側の領域を第１の領域とする。
【０３０２】
第Ｎの検知面３０２ｎの第２の操作部材７３に遠い側の領域を第２の領域としたとき、第１の領域の表面積は前記第２の領域の表面積よりも狭い。
【０３０３】
電子機器の背面側から見た場合、第１の操作面３０３ａは、第１の操作面３０３ａとタッチ検知面３０２が重畳する第１のタッチ検出領域と第１の操作面３０３ａとタッチ検知面３０２が重畳しない第１のタッチ非検出領域を備えている。
【０３０４】
第２の操作面３０３ｂは、第２の操作面３０３ｂとタッチ検知面３０２が重畳する第２のタッチ検出領域と第２の操作面３０３ｂとタッチ検知面３０２が重畳しない第２のタッチ非検出領域を備えている。
【０３０５】
電子機器の背面側から見た場合、スライド操作の方向において、突出部側から順に、第２のタッチ非検出領域、第２のタッチ検出領域、第１のタッチ検出領域に配置されている。
【０３０６】
第２のタッチ非検出領域のスライド操作の方向の幅は、第２のタッチ検出領域のスライド操作の方向の幅よりも広い。
【０３０７】
電子機器の背面側から見た場合、第１の操作面３０３ａと第１の電極面３０２ａとが重畳するタッチ検出領域に第１のタッチ指標３０３ｃが設けられている。
【０３０８】
電子機器の背面側から見た場合、第１の操作面３０３ａと第Ｎの電極面３０２ｎとが重畳するタッチ検出領域に第２のタッチ指標３０３ｄが設けられている。
【０３０９】
第１のタッチ指標３０３ｃが第１のタッチ検出領域に設けられている。
【０３１０】
第２のタッチ検出領域のスライド操作の方向の幅は、第１のタッチ指標３０３ｃから第２のタッチ検出領域までの長さ３０３ｅよりも短い。
【０３１１】
第２のタッチ指標３０３ｄは、第１の操作面３０３ａと第Ｎの電極面３０２ｎとが重畳するタッチ検出領域及び第１の操作面３０３ａと第Ｎの電極面３０２ｎとが重畳しないタッチ非検出領域の両方の領域に跨って設けられている。
【０３１２】
タッチ検出領域に設けられた第２のタッチ指標３０３ｄの面積は、タッチ非検出領域に設けられた第２のタッチ指標３０３ｄの面積よりも広い。
【０３１３】
第１の操作部材８２は、表示部２８の操作面とスライド方向（Ｘ方向）に重なり、且つ、表示部２８の操作面とスライド方向と直交する方向（Ｙ方向）に重なっていない。
【０３１４】
電子機器の背面側から見た場合、第１の操作部材８２は、表示部２８の操作面に対して前面側（Ｚ方向）に凹んだ位置に配置されている。
【０３１５】
タッチ検知面３０２の短辺の中点を通るスライド方向に伸びた線分を定義した場合、線分を基準として、第１のタッチ非検出領域の表示部２８に遠い側の領域を第１の領域とする。
【０３１６】
第１のタッチ非検出領域の表示部２８に近い側の領域を第２の領域としたとき、電子機器の背面側から見た場合、第１の領域のスライド操作の方向と直交する方向の幅は、第２の領域のスライド操作の方向と直交する方向の幅よりも広い。
【０３１７】
（タッチバー８２の割り当て機能の説明）
この時、ユーザーの操作意図に対して正確に操作判定が行われなければ誤操作となってしまう。
【０３１８】
しかしながら、タッチバー８２の親指の待機位置３００からの距離や機器上の他の部材との配置関係によって、意志一致率が下がってしまうことがある。
【０３１９】
例えば、親指待機位置３００からの距離によってタッチしやすさが変化してしまう。
【０３２０】
具体的には、タッチバー８２は、親指待機位置３００近傍ではタッチしやすく、そこから接眼部１６に近傍へと近づくほどに親指を伸ばしていく事になりタッチしにくくなっていく。
【０３２１】
また、接眼部１６は、前述の通り内部のＥＶＦ２９に表示された映像を視認する接眼ファインダーである。
【０３２２】
しかしながら、快適なアイポイントを確保する目的や接眼状態で鼻が表示部２８に接触しにくくする目的のために外装側（背面側）に飛び出した凸形状となっている。
【０３２３】
本実施例では、この接眼部１６はタッチバー８２のタッチ面に対してＺ方向に１５ｍｍ以上飛び出ている。
【０３２４】
このため、タッチバー８２は、接眼部１６の隣接端へタッチ入力が行いにくくなっている。
【０３２５】
特にスライド操作は、端から端まで入力が行えない場合には設定値の変更段数が減ってしまうためこの影響が顕著である。
【０３２６】
ここで、本実施例では１５ｍｍ以上の比較的大きな凸形状を例示したが、およそ１ｍｍ以上の凸形状があった場合には操作性への影響が表れてしまうと考えられる。
【０３２７】
また、サブ電子ダイヤル７３は、前述の通り回転操作部材であり、右手親指で水平方向（Ｘ軸方向）に回転させる事によって複数段階の入力が行えるが、この操作時、隣接するタッチバー８２に意図せず触れてしまう可能性がある。
【０３２８】
（タッチバー８２の詳細構成について説明）
つぎにタッチバー８２の詳細構成について説明する。
【０３２９】
図４（ａ）はタッチバー８２の分解図であり、タッチバー８２は外観部品のキートップ３０３と静電容量方式のタッチ検出を行う電極３０２を有するプリント基板３０１から構成されている。
【０３３０】
静電容量方式のタッチ検出方法はユーザーの指がキートップ３０３に接触した時に変化する静電容量を電極３０２により検出する。
【０３３１】
そのため、キートップ３０３は非導電部材で構成される必要がある。
【０３３２】
また、タッチ検出の反応を向上させるためには静電容量の変化を大きく必要があり、キートップ３０３の非導電部材の誘電率は高いほうが良い。
【０３３３】
そのため、非導電性の樹脂材料に誘電率の高いガラスフィラーを含有した材料としている。
【０３３４】
図４（ａ）に示すようにキートップ３０３はキートップ固定部材４０１にビス４０２で固定され、キートップ固定部材４０１はキートップ３０３とともにビス４０３でデジタルカメラ１００の上カバー４０４に固定される。
【０３３５】
また、キートップ３０３はビス４０５によりキートップ固定部材４０１とともにデジタルカメラ１００の背面カバー４０６に固定される。
【０３３６】
上カバー４０４と背面カバー４０６はデジタルカメラ１００の電気ノイズ遮蔽性能を向上させるために導電性の材料で構成される。
【０３３７】
たとえば、マグネシウム合金や導電樹脂などである。つぎに図４（ｂ）に示すようにキートップ３０３の裏側にプリント基板３０１が貼り付けられている。
【０３３８】
キートップ３０３の裏側にはボス４０７とリブ４０８が形成されている。
【０３３９】
プリント基板３０１は、位置決め穴３０５に対してボス４０７を嵌合させると共にリブ４０８に押し当てる形でタッチバー８２のキートップ３０３に不図示の両面テープで貼り付けられる。
【０３４０】
この時、両面テープはタッチセンサの検知を阻害しないように５０μｍから１００μｍ程度の薄手のものを利用する事が好ましい。
【０３４１】
この事により、操作面としてのキートップ３０３に対してプリント基板３０１及びそれに配線させるタッチセンサ電極を限られた領域かつタッチセンサ電極に近い位置で精度良く取り付ける事が可能となる。
【０３４２】
つぎに図４（ｃ）はタッチバー８２の断面図を示している。
【０３４３】
上述したように、キートップ３０３はキートップ外形線３０３ａに内包されるタッチ検出領域とキートップ外形線３０３ａとキートップ外形線３０３ｂに内包されるタッチ非検出領域を有している。
【０３４４】
キートップ外形線３０３ａの内側を第１の操作面とし、キートップ外形線３０３ａの外側で、キートップ外形線３０３ｂの内側を第２の操作面とする（図３参照）。
【０３４５】
キートップ外形線３０３ａの内側の第１の操作面とタッチセンサ電極と重畳する面を第１のタッチ検出領域、キートップ外形線３０３ａの内側の第１の操作面とタッチセンサ電極と重畳しない面を第１のタッチ非検出領域とする。
【０３４６】
第１の操作面の外周を第２の操作面が取り囲んでいる（図３参照）。
【０３４７】
第２の操作面とタッチセンサ電極と重畳する面を第２のタッチ検出領域、第２の操作面とタッチセンサ電極と重畳しない面を第２のタッチ非検出領域とする（図３参照）。
【０３４８】
撮像装置の背面に配置された平面である第１の操作面は、第１の操作面の外周を取り囲んだ第２の操作面よりも背面側に突出している。
【０３４９】
つまり、第１の操作面は、第２の操作面よりも背面側に高い位置に面が存在している。
【０３５０】
これは、導電材料で構成される上カバー４０４および背面カバー４０６とタッチセンサ電極３０２との間に一定の距離を設けないとタッチ検出の静電容量が導電材料へ放出されてタッチ検出の出力が低下してしまうためである。
【０３５１】
図４（ｃ）にタッチセンサ電極３０２と上カバー４０４および背面カバー４０６とのクリアランス４０９、４１０を示す。
【０３５２】
本実施例のタッチセンサ電極３０２においては少なくとも１ｍｍ以上のクリアランスを設けることでタッチ検出に必要な出力を得られている。
【０３５３】
以上の理由からキートップ３０３はタッチ非検出領域を全周に有している。
【０３５４】
しかしながらが、ユーザーがＥＶＦ２９を覗きながらタッチバー８２のタッチ操作を行った場合は、ブラインド操作になるためタッチ検出領域とタッチ非検出領域の判別ができない。
【０３５５】
そのため、図４（ｃ）に示すようにキートップ３０３のタッチ検出領域はタッチ非検出領域に対し凸形状４１１とし、タッチ非検出領域は凹面形状４１２とすることでブラインドによるタッチ操作を可能としている。
【０３５６】
本実施例においては、タッチ検出領域（第１の操作面）の凸面形状４１１の高さは凹面形状４１２に対し１ｍｍ高い。
【０３５７】
ユーザーが親指待機位置３００を把持した場合に、容易にタッチ検出の誤操作をしないように親指待機位置３００の面よりＺ方向で高くしている。
【０３５８】
また、ユーザーが接眼部１６のＥＶＦ２９を覗いたときに容易にタッチ検出の誤操作をしないようにタッチ検出領域の凸形状４１１の高さは接眼部１６の面よりＺ方向で低くしている。
【０３５９】
また、キートップ３０３のタッチ検出領域の表面はタッチ非検出領域に対し、滑らかな質感とし、タッチ非検出領域の表面はざらつく質感とすることで判別ができるようにしている。
【０３６０】
また、キートップ３０３のタッチ検出領域の表面の色をタッチ非検出領域に対して異ならせることでタッチ検出領域の視認性を上げている。
【０３６１】
（サブ電子ダイヤル７３の説明）
図１（ｂ）、図４（ａ）のように、サブ電子ダイヤル７３は、タッチバー８２のタッチ面４０１に対して撮像装置の前面側（Ｚ方向）に凹んだ位置に設けられている。
【０３６２】
しかしながら、タッチバー８２のタッチ面４０１と右手親指でサブ電子ダイヤル７３を回動する接触面のＺ方向の段差は小さい。
【０３６３】
よって、サブ電子ダイヤル７３の操作時、隣接するタッチバー８２に意図せず触れてしまう可能性がある。
【０３６４】
図１（ｂ）、図４（ａ）の本実施例では、タッチバー８２のタッチ面４０１に対して撮像装置の前面側（Ｚ方向）に凹んだ位置に設けられている。
【０３６５】
しかし、逆に、タッチバー８２のタッチ面４０１に対して撮像装置の背面側（Ｚ方向）に突出した位置に設けられている形態も本発明に含まれる。
【０３６６】
タッチバー８２のタッチ面４０１と右手親指でサブ電子ダイヤル７３を回動する接触面の背面側（Ｚ方向）に突出する段差が小さい。
【０３６７】
よって、サブ電子ダイヤル７３の操作時、隣接するタッチバー８２に意図せず、右手親指が触れてしまう可能性があるためである。
【０３６８】
サブ電子ダイヤル７３は、Ｙ方向を回転軸として、Ｘ方向に一軸に回転される回転操作部材である。
【０３６９】
撮像装置（電子機器）の背面側から見た場合、第１の操作部材としてのタッチバー８２は、表示部としてのタッチパネル２８の操作面とスライド方向（Ｘ方向）に重なっている。
【０３７０】
そして、第１の操作部材としてのタッチバー８２は、表示部としてのタッチパネル２８の操作面とスライド方向と直交する方向（Ｙ方向）に重なっていない。
【０３７１】
撮像装置（電子機器）の背面側から見た場合、タッチバー８２は、タッチパネル２８の操作面に対して前面側（Ｚ方向）に凹んだ位置に配置されている。
【０３７２】
しかしながら、タッチバー８２の操作面（タッチ面）とタッチパネル２８の操作面（タッチ面）のＺ方向の段差は比較的大きくなっている。
【０３７３】
よって、タッチパネル２８の操作時、隣接するタッチバー８２に意図せず、指が触れてしまう可能性は低い。
【０３７４】
本実施例では、タッチバー８２のタッチ面とタッチパネル２８のタッチ面のＺ方向の段差は、タッチバー８２のタッチ面４０１とサブ電子ダイヤル７３を回動する接触面のＺ方向の段差よりも大きくなっている。
【０３７５】
検知手段としてのタッチセンサ電極３０２のタッチ検知面の短辺の中点を通るスライド方向に伸びた線分Ａ（図３）を定義する。
【０３７６】
その場合、線分Ａ（中心線）を基準として、第Ｎのタッチ検知面３０２ｎの第２の操作部材７３に近い側の領域を第１の領域とする。
【０３７７】
そして、第Ｎのタッチ検知面３０２ｎの表示部（タッチパネル）２８に近い側の領域を第２の領域としたとき、第１の領域の表面積は第２の領域の表面積よりも狭くなっている。
【０３７８】
（リニアリティの説明）
図３（ｂ）に示す本実施例のタッチセンサ電極３０２においては、タッチセンサ電極３０２ｂから隣り合うタッチセンサ電極３０２ａ、及び３０２ｃに対して、くの字の勾配形状が形成されている。
【０３７９】
このことによりスライド操作を行った際にタッチセンサ電極の静電容量の入力値が徐々に隣の電極へと移っていきリニアリティを確保した操作が行える。
【０３８０】
図３（ｂ）に示す本実施例のタッチセンサ電極３０２においては、くの字の勾配形状の頂点がタッチセンサ電極３０２のＹ方向略中央に配置されており、かつ頂点の角度Θ１及びΘ２が略９０度に設定されている。
【０３８１】
つぎに図５にキートップ３０３と隣接するサブ電子ダイヤル７３および親指待機位置３００とのサイズ関係を示す。
【０３８２】
図５（ａ）に示すようにＸ方向幅は親指待機位置３００のＸ方向幅Ｌ１に対してサブ電子ダイヤル７３のＸ方向幅Ｌ２およびキートップ３０３のタッチ検出領域のＸ方向幅Ｌ３はＬ１＜Ｌ２、Ｌ２≦Ｌ３となる。
【０３８３】
たとえば親指待機位置３００のＸ方向幅Ｌ１は、日本人の親指の幅の平均が約２０ｍｍであり、その４分の１の１０ｍｍが親指待機位置３００との把持する場合の接触面積と想定すると５ｍｍ以上必要である。
【０３８４】
サブ電子ダイヤル７３やタッチバー８２を操作する場合は、親指の接触面積に対して２倍以上のスライド距離がないと、１回のスライド操作における設定値の変更幅が小さくなってしまう。
【０３８５】
そのため、繰り返しスライド動作を行わなければならない。
【０３８６】
そのため、少なくともサブ電子ダイヤル７３のＸ方向幅Ｌ２およびキートップ３０３のタッチ検出領域のＸ方向幅Ｌ３は１０ｍｍ以上必要である。
【０３８７】
また、タッチバー８２はサブ電子ダイヤル７３に対して同等のスライド操作性を持たせる。
【０３８８】
そのために、キートップ３０３のタッチ検出領域のＸ方向幅Ｌ３は、サブ電子ダイヤル７３のＸ方向幅Ｌ２と同等以上の長さである必要がある。
【０３８９】
また、図５（ｂ）に示すようにサブ電子ダイヤル７３のＹ方向幅Ｈ１およびキートップ３０３のタッチ検出領域のＹ方向幅Ｈ２およびタッチ非検出領域のＹ方向幅Ｈ３はＨ１≦Ｈ２、Ｈ１＞Ｈ３となる。
【０３９０】
上述したように、タッチバー８２はサブ電子ダイヤル７３に対して同等のスライド操作性を持たせる。
【０３９１】
そのためにキートップ３０３のタッチ検出領域のＹ方向幅Ｈ２は少なくともサブ電子ダイヤル７３のＹ方向幅Ｈ１よりも同等以上にする必要がある。
【０３９２】
また、キートップ３０３のタッチ非検出領域のＹ方向幅Ｈ３は検出領域と誤認識されないために少なくともサブ電子ダイヤル７３のＹ方向幅Ｈ１よりも小さくする必要がある。
【０３９３】
図６（ａ）はユーザーがデジタルカメラ１００を把持した状態をデジタルカメラ１００の上面から見た図であり、図６（ｂ）は背面から見た図である。
【０３９４】
図６（ａ）に示すように親指待機位置３００は、一般的にグリップ９０を背面側に投影した位置に存在し、ラバー等を貼付する事でその位置を示すと共にグリップ感を高めている事が多い。
【０３９５】
また、図６（ｂ）に示すようにタッチバー８２とサブ電子ダイヤル７３の位置関係は、親指待機位置３００を中心に親指の回転軌跡上に配置することでグリップ９０を握りながらタッチバー８２とサブ電子ダイヤル７３を操作できるようになっている。
【０３９６】
サブ電子ダイヤル７３の回転方向とタッチバー８２のスライド操作の方向は親指の回転軌跡に合わせて、図６（ｂ）のＸ方向と一致にしており、タッチバー８２とサブ電子ダイヤル７３の操作性を同一にしている。
【０３９７】
また、タッチバー８２は、親指待機位置３００に隣接する。
【０３９８】
よって、前述の通りグリップ部９０を握った状態で右手の親指でタップ操作、左右（図３に示すスライド方向）へのスライド操作などが行いやすい配置となっている。
【０３９９】
タッチバー８２は、操作に応じてそれぞれ機能を割り当てる事が可能である。
【０４００】
例えば、操作部材のメイン電子ダイヤル７１やサブ電子ダイヤル７３で設定可能な露出関係の設定値を変更する機能を割り当てることができる。
【０４０１】
露出関係の設定値はシャッター速度（Ｔｖ）や絞り値（Ａｖ）、ＩＳＯ感度、オート露出モード時の露出補正値である。
【０４０２】
例えば、ＩＳＯ感度設定の機能をタッチバー８２に割り当てた場合を説明する。
【０４０３】
タッチバー８２の左半分の位置においてタップ操作が行われた場合には、デジタルカメラ１００の撮影ＩＳＯ感度を１／３段低感度に設定する機能操作が行われた場合には、撮影ＩＳＯ感度を１／３段高感度に設定する機能が割り当てられる。
【０４０４】
右半分の位置座標においてタップ操作が行われた場合には、撮影ＩＳＯ感度を１／３段高感度に設定する機能が割り当てられる。
【０４０５】
また、スライド操作が行われた場合には、デジタルカメラ１００の撮影ＩＳＯ感度をスライドの１段階毎に１／３段ずつ増減する機能が割り当てられる。
【０４０６】
これらの割り当てられる機能はユーザーによってカスタマイズ可能であり、例えば、左半分の位置においてタップ操作が行われた場合には、デジタルカメラ１００の撮影ＩＳＯ感度を自動設定にする機能を割り当てるといった変更が可能である。
【０４０７】
右半分の位置座標においてタップ操作が行われた場合には、撮影ＩＳＯ感度を最高ＩＳＯ感度に設定する機能を割り当てるといった変更が可能である。
【０４０８】
また、タッチバー８２は、露出関係の設定値以外にもホワイトバランス設定、ＡＦモード、ドライブモードの設定、再生画像送りが割り当て可能である。
【０４０９】
また、動画撮影モード時にはマイクの録音レベル調整や動画再生の早送りや逆戻し機能を割り当てすることができる。
【０４１０】
上述したようにタッチバー８２はさまざまな機能を操作可能であるが、タッチバー８２に設定されたさまざまな機能を把握して操作するためには、デジタルカメラ１００に配置された表示画面を見ながら操作する必要がある。
【０４１１】
図７（ａ）ではカメラ背面に設けられた表示部２８やカメラ上面に設けられたファインダー外表示部４３を見ながらタッチバー８２をユーザーが操作する概略図を示している。
【０４１２】
また、図７（ｂ）には接眼ファインダー内のＥＶＦ２９を見ながらタッチバー８２をユーザーが操作する概略図を示している。
【０４１３】
図７のように複数の表示部を有するカメラの場合、ユーザーはさまざまなスタイルで撮影や撮影機能の設定を行うため、タッチバー８２はどの表示部を見ながらでも操作しやすい位置に配置する必要がある。
【０４１４】
図８は本発明の特徴である複数の表示部とタッチバー８２との位置関係を示した概略図である。
【０４１５】
図８（ａ）はカメラ背面に設けられた表示部２８と接眼ファインダー内のＥＶＦ２９との位置関係を、図８（ｂ）はカメラ上面に設けられたファインダー外表示部４３との位置関係を示している。
【０４１６】
図８（ａ）に示すようにタッチバー８２は表示部２８の上辺２８ａとＥＶＦ２９の右辺２９ａとそれぞれ隣接するように配置されている。
【０４１７】
また、図８（ｂ）に示すようにタッチバー８２はファインダー外表示部４３の下辺４３ａと隣接するように配置されている。
【０４１８】
このように各表示部に囲われるようにタッチバー８２を配置することで、図７に示すようにどの表示部を見ながらでも各表示画面とタッチ操作を把握しながらタッチバー８２を操作することができる。
【０４１９】
とくにプロカメラマンやハイアマチュアといわれるカメラユーザーはＥＶＦ２９やファインダー外表示部４３を見ながら素早く撮影設定をすることが多い。
【０４２０】
そのため、本発明のタッチバー８２の配置であると表示部を覗きこむ動作とタッチ操作を一連の動作で行うことができる。
【０４２１】
つぎに図９は各表示部の表示画面とタッチバー８２のスライド方向との関係を示した概略図である。図９（ａ）は露出関係の撮影設定値が表示された各表示画面を示している。
【０４２２】
カメラ背面に設けられた表示部２８には表示画面下部２８ｂに撮影設定値がＸ方向に並んで配置されている。
【０４２３】
一般的に撮影画像はＸ方向に長い（横長）サイズであり、長辺と短辺の比率（アスペクト比）は３：２か４：３である。
【０４２４】
そのため、撮像された画像の再生表示やＬＶ表示を行う表示部２８とＥＶＦ２９は、撮影画像のアスペクト比に合わせてＸ方向に長い。
【０４２５】
表示部２８は図９（ａ）のようにＬＶ表示時に被写体像と表示が被らないように、かつ撮影設定値をすべて一列に表示するために設定値を表示画面下部２８ｂにＸ方向に並べて配置している。
【０４２６】
とくにマニュアル露出モード時の測光値やオート露出モード時の補正値を示す露出メーター２８ｃは長い表示幅であるため、Ｙ方向に並べて表示するには不向きである。
【０４２７】
露出メーター２８ｃの測光値や補正値を示す露出メーターカーソル２８ｄは設定値が変更されるとメーター上をＸ方向にスクロールする。
【０４２８】
本発明においては設定値のカーソル移動やスライドによる設定値の表示切り替えをスクロールとし、その方向をスクロール方向と定義する。
【０４２９】
設定変更可能な設定値は設定値選択カーソル２８ｅにより選択されており、操作部材のメイン電子ダイヤル７１やサブ電子ダイヤル７３、タッチバー８２によりカーソル選択されている設定を変更可能である。
【０４３０】
ＥＶＦ２９の表示画面は表示部２８と同様に表示画面下部２９ｂに露出メーター２９ｃと露出メーターカーソル２９ｄを含む各設定値と設定値選択カーソル２９ｅをＸ方向に並べて表示されている。
【０４３１】
ファインダー外表示部４３は撮影画像を表示せず各設定値のみ表示するため、各設定値と設定値選択カーソル４３ｅは横並びには表示されない。
【０４３２】
ただし、ファインダー外表示部４３の露出メーター４３ｃと露出メーターカーソル４３ｄの表示方向は表示部２８やＥＶＦ２９の露出メーターに合わせてＸ方向としている。
【０４３３】
よってタッチバー８２をスライド操作でオート露出モード時の露出補正値を変更した場合は、各表示部の露出メーターの露出メーターカーソルはＸ方向にスクロールする。
【０４３４】
また、マニュアル露出モード時にタッチバー８２によってシャッター速度（Ｔｖ）や絞り値（Ａｖ）、ＩＳＯ感度を変更した場合も、各表示部の露出メーターの露出メーターカーソルはＸ方向にスクロールする。
【０４３５】
そのため、タッチバー８２のスライド操作方向を露出メーターカーソルのスクロール方向と同一とすることでユーザーは露出メーターカーソル移動と関連付けてスライド操作を行うことが可能である。
【０４３６】
図９（ｂ）ではＩＳＯ感度をタッチバー８２で変更した場合の概略図を示している。
【０４３７】
各表示部の設定値選択カーソル（２８ｅ、２９ｅ、４３ｅ）はＩＳＯ感度の項目を選択した状態であり、タッチバー８２にて設定変更可能である。
【０４３８】
ユーザーがタッチバー８２に親指を接触させ、スライド操作を開始すると、表示部２８とＥＶＦ２９にＩＳＯ感度メーター２８ｆと２９ｆがそれぞれ表示される。
【０４３９】
ユーザーはタッチバー８２上の親指をＸ方向右側にスライドさせていくとＩＳＯ感度メーター２８ｆ、２９ｆの表示はＸ方向右側にスクロールされ、ＩＳＯ感度はＩＳＯ１００からＩＳＯ４００へ変更される。
【０４４０】
そしてＩＳＯ感度の変更に合わせて露出値が２段上がるため、各表示部の露出メーターの露出メーターカーソル（２８ｄ、２９ｄ、４３ｄ）はＸ方向右側にスクロールする。
【０４４１】
タッチバー８２でシャッター速度（Ｔｖ）や絞り値（Ａｖ）を変更した場合も同様に、各設定値のメーターが表示されＸ方向にスクロールする。
【０４４２】
以上のように、各表示部の露出メーターカーソルや各設定値のメーター表示のスクロール方向とタッチバー８２のスライド操作方向を同一とする。
【０４４３】
よって、ユーザーは各表示部を見ながら直感的にタッチバー８２で様々な設定変更を行うことができる。
【０４４４】
本実施例ではタッチバー８２のスクロール方向はＸ方向であるが各表示部に表示される設定値の各設定値のメーター表示のスクロール方向と同一であればよいため、Ｘ方向に限定されるものではない。
【０４４５】
また、本実施例はＥＶＦ２９においてタッチバー８２との位置関係を説明した。
【０４４６】
それに限定されず、ミラーとペンタプリズムと焦点板を有した光学ファインダーにおける焦点板に重畳した透過型の液晶表示部でも実施可能であり、ＥＶＦ２９を有する接眼ファインダーに限定されるものではない。
【０４４７】
例えば、ここまで、タッチセンサ電極の大きさに関しては平面的な表面積として捉えて説明してきたが、曲面形状や凹凸形状といった立体的な形状として捉えて入力しやすさを調整しても良い。
【０４４８】
また、タッチセンサ電極３０２ａはキートップ外形線３０３ａで示される第１の操作面より接眼部１６側へはみ出した形状である。
【０４４９】
よって、キートップ３０３のスライド方向と直交方向にはみ出してもタッチセンサ電極３０２ａのタッチセンサ出力を増加することができる。
【０４５０】
図１５にタッチセンサ電極３０２ａをキートップ３０３のスライド方向と直交方向にキートップ外形線３０３ａからはみ出させた場合のデジタルカメラ１００の背面図とタッチバー８２の内部構成図を示す。
【０４５１】
タッチセンサ電極３０２ａ３がデジタルカメラ１００の上方向に出させ領域であり、タッチセンサ電極３０２ａ４がデジタルカメラ１００の上方向に出させ領域である。
【０４５２】
上述したようにユーザーの親指と対向するタッチセンサ電極との面積比でタッチセンサ出力は増加するため、より安定的なタッチセンサ電極３０２ａのタッチセンサ出力を得ることができる。
【０４５３】
以上、本発明の好ましい実施形態について説明したが、本発明はこれらの実施形態に限定されず、その要旨の範囲内で種々の変形及び変更が可能である。
【産業上の利用可能性】
【０４５４】
本発明の電子機器は、撮像装置であるデジタルカメラに限定されない。複写機、レーザービームプリンタ（ＬＢＰ）、インクジェットプリンタにも適用できる。
【０４５５】
モニターを把持しながら、タッチ操作／スライド操作でコピー枚数や、コピー用紙のサイズ、を変更するタッチ操作面に本発明のタッチバーを用いても良い。
【０４５６】
また、スマートフォン、タブレットコンピュータ、スマートウォッチ、等の携帯可能な小型のコンピューターであるモバイルにも適用できる。
【０４５７】
モバイルの画面外に本発明のタッチバーを配置して、画像送り、選択などのタッチ操作／スライド操作を可能とできる。
【０４５８】
他にも、自動車、医療機器、ゲームにも適用できる。
【０４５９】
自動車のステアリング部に本発明のタッチバーを配置して、ハンドル操作を行いながら、タッチ操作によるメニュー切り替えや、スライド操作による音量の微調整、カーナビ画面の縮小／拡大などが可能とできる。
【０４６０】
また、医療機器として、ハンディーＸ線の把持部に本発明のタッチバーを配置して、スライドにより操作の微調整が可能とできる。
【符号の説明】
【０４６１】
２８  表示部
２９  ＥＶＦ
４３  ファインダー外表示部
７３  サブ電子ダイヤル
８２  タッチバー
３０１  フレキシブルプリント配線板
３０２ａ１  第１のタッチ検出領域
３０２ａ２  第２のタッチ検出領域
３０３  電極
４０４  上カバー
４０６  背面カバー
【図１】
2020009419.tif 000003
【図２】
2020009419.tif 000004
【図３】
2020009419.tif 000005
【図４】
2020009419.tif 000006
【図５】
2020009419.tif 000007
【図６】
2020009419.tif 000008
【図７】
2020009419.tif 000009
【図８】
2020009419.tif 000010
【図９】
2020009419.tif 000011
【図１０】
2020009419.tif 000012
【図１１】
2020009419.tif 000013
【図１２】
2020009419.tif 000014
【図１３】
2020009419.tif 000015
【図１４】
2020009419.tif 000016
【図１５】
2020009419.tif 000017
【図１６】
2020009419.tif 000018
【図１７】
2020009419.tif 000019
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
タッチ操作及びスライド操作されるタッチ操作面を有する第１の操作手段と、前記タッチ操作面の内側に配置され且つ前記タッチ操作を検知するタッチ検知面と、ユーザが把持する把持部と、を有する電子機器であって、
前記タッチ検知面は、前記スライド操作の方向において、前記把持部から離れた側から順に、第１の検知面から第Ｎの検知面の少なくとも２つの検知面に分割され、
前記把持部は、前記スライド操作の方向において、前記少なくとも２つのタッチ検知面の中で前記第Ｎの検知面の最も近くに設けられており、
前記タッチ操作面は、第１の操作面及び、前記第１の操作面の外縁に設けられた第２の操作面を備え、
前記第１の操作面と前記第２の操作面との突出量及び質感及び色の少なくとも一つが異なり、
前記第１の検知面は、前記第１の操作面の前記把持部から離れた側の外縁に設けられた前記第２の操作面に跨って設けられていることを特徴とする電子機器。
【請求項２】
前記スライド操作と直交する方向において、前記タッチ操作面に対して突出した突出部を備え、
前記第１の検知面は、前記第１の操作面の前記突出部側の外縁に設けられた前記第２の操作面に跨って設けられている請求項１に記載の電子機器。
【請求項３】
前記第１の操作面と前記第１の検知面とが重畳する第１のタッチ検出領域は、前記第２の操作面と前記第１の検知面とが重畳する第２のタッチ検出領域よりも広い面積である請求項１又は２に記載の電子機器。
【請求項４】
スライド操作の方向において前記第１の操作部材の操作面に隣接して配置された第２の操作部材と、備え、
前記スライド操作の方向において、前記第２の操作部材は、前記少なくとも２つのタッチ検知面のうち前記第Ｎの検知面の最も近くに設けられており、
前記検知手段のタッチ検知面の短辺の中点を通る前記スライド操作の方向に伸びた線分を定義した場合、前記線分を基準として、前記第Ｎの検知面の前記第２の操作部材に近い側の領域を第１の領域とし、前記第Ｎの検知面の前記第２の操作部材に遠い側の領域を第２の領域としたとき、前記第１の領域の表面積は前記第２の領域の表面積よりも狭い請求項１乃至３の何れか一項に記載の電子機器。
【請求項５】
前記第１の操作面は、前記第１の操作面と前記タッチ検知面が重畳する第１のタッチ検出領域と前記第１の操作面と前記タッチ検知面が重畳しない第１のタッチ非検出領域を備え、
前記第２の操作面は、前記第２の操作面と前記タッチ検知面が重畳する第２のタッチ検出領域と前記第２の操作面と前記タッチ検知面が重畳しない第２のタッチ非検出領域を備えている請求項１乃至４の何れか一項に記載の電子機器。
【請求項６】
前記スライド操作の方向において前記タッチ操作面は、前記突出部側から順に、前記第２のタッチ非検出領域、前記第２のタッチ検出領域、前記第１のタッチ検出領域が配置されており、
前記第２のタッチ非検出領域のスライド操作の方向の幅は、前記第２のタッチ検出領域のスライド操作の方向の幅よりも広い請求項５に記載の電子機器。
【請求項７】
前記第１の操作面と前記第１の検知面とが重畳するタッチ検出領域に第１のタッチ指標が設けられ、
前記第１の操作面と前記第Ｎの検知面とが重畳するタッチ検出領域に第２のタッチ指標が設けられている請求項１乃至６の何れか一項に記載の電子機器。
【請求項８】
前記第１のタッチ指標が前記第１のタッチ検出領域に設けられており、
前記第２のタッチ検出領域のスライド操作の方向の幅は、前記第１のタッチ指標から前記第２のタッチ検出領域までの長さよりも短い請求項７に記載の電子機器。
【請求項９】
前記第２のタッチ指標は、前記第１の操作面と前記第Ｎの検知面とが重畳するタッチ検出領域及び前記第１の操作面と前記第Ｎの検知面とが重畳しないタッチ非検出領域の両方の領域に跨って設けられており、
前記タッチ検出領域に設けられた第２のタッチ指標の表面積は、前記タッチ非検出領域に設けられた第２のタッチ指標の表面積よりも広い請求項７に記載の電子機器。
【請求項１０】
記録媒体に記録された画像を表示し、スライド操作とタップ操作が可能である操作面を有する表示部を備え、
前記第１の操作部材と前記表示部の操作面は、前記スライド方向と直交する方向に配列されており、
前記第１の操作部材は、前記表示部の操作面に対して前記スライド操作の方向と直交する方向に凹んだ位置に配置されている請求項１乃至９の何れか一項に記載の電子機器。
【請求項１１】
前記タッチ検知面の短辺の中点を通る前記スライド方向に伸びた線分を定義した場合、前記線分を基準として、前記第１のタッチ非検出領域の前記表示部に遠い側の領域を第１の領域とし、前記第１のタッチ非検出領域の前記表示部に近い側の領域を第２の領域としたとき、
前記第１の領域のスライド操作の方向と直交する方向の幅は、前記第２の領域のスライド操作の方向と直交する方向の幅よりも広い請求項１０に記載の電子機器。
【請求項１２】
前記突出部は、接眼部である請求項２乃至１１の何れか一項に記載の電子機器。
【請求項１３】
前記第１の検知面は、前記第１の操作面及び、前記第１の操作面の前記突出部側のスライド方向の外縁に設けられた前記第２の操作面に跨って設けられている請求項２乃至１２の何れか一項に記載の電子機器。
【請求項１４】
前記第１の検知面は、前記第１の操作面及び、前記第１の操作面の前記突出部側のスライド方向と直交する方向の外縁に設けられた前記第２の操作面に跨って設けられている請求項２乃至１３の何れか一項に記載の電子機器。
【請求項１５】
前記第１の検知面の前記第２の操作面に存在する検出領域の表面積は、前記第Ｎの検知面の前記第２の操作面に存在する検出領域の表面積よりも大きい請求項１乃至１４の何れか一項に記載の電子機器。
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
タッチ操作及びスライド操作されるタッチ操作面を有する第１の操作部材と、前記タッチ操作面の内側に配置され且つ前記タッチ操作を検知するタッチ検知面と、ユーザが把持する把持部と、を有する電子機器であって、
前記タッチ検知面は、前記スライド操作の方向において、前記把持部から離れた側から順に、第１の検知面から第Ｎの検知面の少なくとも２つの検知面に分割され、
前記把持部は、前記スライド操作の方向において、前記少なくとも２つのタッチ検知面の中で前記第Ｎの検知面の最も近くに設けられており、
前記タッチ操作面は、第１の操作面及び、前記第１の操作面の外縁に設けられた第２の操作面を備え、
前記第１の操作面と前記第２の操作面との突出量及び質感及び色の少なくとも一つが異なり、
前記第１の検知面は、前記第１の操作面の前記把持部から離れた側の外縁に設けられた前記第２の操作面に跨って設けられていることを特徴とする電子機器。
【請求項２】
前記スライド操作と直交する方向において、前記タッチ操作面に対して突出した突出部を備え、
前記第１の検知面は、前記第１の操作面の前記突出部側の外縁に設けられた前記第２の操作面に跨って設けられている請求項１に記載の電子機器。
【請求項３】
前記第１の操作面と前記第１の検知面とが重畳する第１のタッチ検出領域は、前記第２の操作面と前記第１の検知面とが重畳する第２のタッチ検出領域よりも広い面積である請求項１又は２に記載の電子機器。
【請求項４】
スライド操作の方向において前記第１の操作部材の操作面に隣接して配置された第２の操作部材と、備え、
前記スライド操作の方向において、前記第２の操作部材は、前記少なくとも２つのタッチ検知面のうち前記第Ｎの検知面の最も近くに設けられており、
前記タッチ検知面の短辺の中点を通る前記スライド操作の方向に伸びた線分を定義した場合、前記線分を基準として、前記第Ｎの検知面の前記第２の操作部材に近い側の領域を第１の領域とし、前記第Ｎの検知面の前記第２の操作部材に遠い側の領域を第２の領域としたとき、前記第１の領域の表面積は前記第２の領域の表面積よりも狭い請求項１乃至３の何れか一項に記載の電子機器。
【請求項５】
前記第１の操作面は、前記第１の操作面と前記タッチ検知面が重畳する第１のタッチ検出領域と前記第１の操作面と前記タッチ検知面が重畳しない第１のタッチ非検出領域を備え、
前記第２の操作面は、前記第２の操作面と前記タッチ検知面が重畳する第２のタッチ検出領域と前記第２の操作面と前記タッチ検知面が重畳しない第２のタッチ非検出領域を備えている請求項１乃至４の何れか一項に記載の電子機器。
【請求項６】
前記スライド操作の方向において前記タッチ操作面は、前記突出部側から順に、前記第２のタッチ非検出領域、前記第２のタッチ検出領域、前記第１のタッチ検出領域が配置されており、
前記第２のタッチ非検出領域のスライド操作の方向の幅は、前記第２のタッチ検出領域のスライド操作の方向の幅よりも広い請求項２に記載の電子機器。
【請求項７】
前記第１の操作面と前記第１の検知面とが重畳するタッチ検出領域に第１のタッチ指標が設けられ、
前記第１の操作面と前記第Ｎの検知面とが重畳するタッチ検出領域に第２のタッチ指標が設けられている請求項１乃至６の何れか一項に記載の電子機器。
【請求項８】
前記第１のタッチ指標が前記第１のタッチ検出領域に設けられており、
前記第２のタッチ検出領域のスライド操作の方向の幅は、前記第１のタッチ指標から前記第２のタッチ検出領域までの長さよりも短い請求項３に記載の電子機器。
【請求項９】
前記第２のタッチ指標は、前記第１の操作面と前記第Ｎの検知面とが重畳するタッチ検出領域及び前記第１の操作面と前記第Ｎの検知面とが重畳しないタッチ非検出領域の両方の領域に跨って設けられており、
前記タッチ検出領域に設けられた第２のタッチ指標の表面積は、前記タッチ非検出領域に設けられた第２のタッチ指標の表面積よりも広い請求項７に記載の電子機器。
【請求項１０】
記録媒体に記録された画像を表示し、スライド操作とタップ操作が可能である操作面を有する表示部を備え、
前記第１の操作部材と前記表示部の操作面は、前記スライド操作の方向と直交する方向に配列されており、
前記第１の操作部材は、前記表示部の操作面に対して前記スライド操作の方向と直交する方向に凹んだ位置に配置されている請求項１乃至９の何れか一項に記載の電子機器。
【請求項１１】
前記タッチ検知面の短辺の中点を通る前記スライド方向に伸びた線分を定義した場合、前記線分を基準として、前記第１のタッチ非検出領域の前記表示部に遠い側の領域を第１の領域とし、前記第１のタッチ非検出領域の前記表示部に近い側の領域を第２の領域としたとき、
前記第１の領域のスライド操作の方向と直交する方向の幅は、前記第２の領域のスライド操作の方向と直交する方向の幅よりも広い請求項５に記載の電子機器。
【請求項１２】
前記突出部は、接眼部である請求項２に記載の電子機器。
【請求項１３】
前記第１の検知面は、前記第１の操作面及び、前記第１の操作面の前記突出部側のスライド方向の外縁に設けられた前記第２の操作面に跨って設けられている請求項２乃至１２の何れか一項に記載の電子機器。
【請求項１４】
前記第１の検知面は、前記第１の操作面及び、前記第１の操作面の前記突出部側のスライド方向と直交する方向の外縁に設けられた前記第２の操作面に跨って設けられている請求項２乃至１３の何れか一項に記載の電子機器。
【請求項１５】
前記第１の検知面の前記第２の操作面に存在する検出領域の表面積は、前記第Ｎの検知面の前記第２の操作面に存在する検出領域の表面積よりも大きい請求項１乃至１４の何れか一項に記載の電子機器。